(57)【特許請求の範囲】
【請求項１】
通信回線を介して携帯通信端末によって登録された、災害の発生したエリアである被災エリアの被災状況を示す被災情報の登録内容に基づき、前記被災状況の提示情報である被災提示情報を生成する被災提示情報生成装置であって、
前記携帯通信端末は、前記被災情報の登録において、前記災害の発生時又は予測時に前記被災エリアに対応する通信エリア内に存在する携帯通信端末に対して同報配信される緊急速報メッセージの受信履歴を有するときには、この緊急速報メッセージの識別情報を含む同メッセージに係る災害の前記被災情報を登録するようになっており、前記緊急速報メッセージの受信履歴を有しないときには、前記識別情報を含まない前記被災情報を登録するようになっており、
前記識別情報を含む被災情報を用いた被災提示情報の生成要求に応じて、前記携帯通信端末を介して登録された前記被災情報から、所定の災害に対応する前記識別情報を含む被災情報を選択する被災情報選択手段と、
前記被災情報選択手段で選択した被災情報に基づき前記被災提示情報を生成する被災提示情報生成手段と、を備えることを特徴とする被災提示情報生成装置。
【請求項２】
通信回線を介して携帯通信端末によって登録された、災害の発生したエリアである被災エリアの被災状況を示す被災情報の登録内容に基づき、前記被災状況の提示情報である被災提示情報を生成する被災提示情報生成装置であって、
前記携帯通信端末は、前記災害の発生時又は予測時に前記被災エリアに対応する通信エリア内に存在する携帯通信端末に対して同報配信される緊急速報メッセージを受信したときに、この緊急速報メッセージの識別情報を含む受信履歴情報を記憶するようになっており、
前記識別情報は、災害の種類を特定する情報である災害特定情報を含んでおり、
前記携帯通信端末から前記通信回線を介して受信した前記被災情報の登録要求に応じて、前記通信回線を介して前記携帯通信端末から前記受信履歴情報を取得する受信履歴情報取得手段と、
前記受信履歴情報取得手段の取得結果に基づき、前記被災情報の登録要求元の携帯通信端末に対する前記被災情報の登録の適格性を判定する適格性判定手段と、
前記適格性判定手段で適格と判定された携帯通信端末からの前記被災情報の登録を受け付け、不適格と判定された携帯通信端末からの前記被災情報の登録を拒絶する登録受付制御手段と、
前記携帯通信端末によって登録された前記被災情報を前記識別情報と対応付けて記憶する被災情報記憶手段と、
前記被災情報記憶手段に記憶された所定の被災エリアに対応する前記被災情報に基づき前記被災提示情報を生成する被災提示情報生成手段と、を備え、
前記適格性判定手段は、
前記受信履歴情報取得手段が前記受信履歴情報を取得できなかった場合と、前記受信履歴情報取得手段で取得した前記受信履歴情報に含まれる前記識別情報に、登録対象の災害に対応する前記災害特定情報が含まれていないと判定した場合に不適格と判定し、
前記受信履歴情報取得手段で取得した前記受信履歴情報に含まれる前記識別情報に、登録対象の災害に対応する前記災害特定情報が含まれていると判定した場合に適格と判定することを特徴とする被災提示情報生成装置。
【請求項３】
前記被災情報は、前記携帯通信端末が前記緊急速報メッセージを受信したときの位置情報を含み、
前記被災提示情報生成手段は、前記被災エリアにおける前記被災情報を登録した利用者の被災位置と前記被災情報とをマップ上に表示した被災マップを生成することを特徴とする請求項１又は請求項２に記載の被災提示情報生成装置。
【請求項４】
前記携帯通信端末の固有情報を含む前記被災提示情報の出力要求を前記通信回線を介して受信する出力要求受信手段と、
前記被災提示情報生成手段で生成した、前記出力要求に対応する前記被災提示情報を出力する被災提示情報出力手段とを備え、
前記被災提示情報生成手段は、前記出力要求受信手段で受信した出力要求に含まれる前記固有情報に対応する携帯通信端末の位置情報を表示した前記被災マップを生成することを特徴とする請求項３に記載の被災提示情報生成装置。
【請求項５】
前記出力要求受信手段で受信した前記出力要求と前記被災情報の登録内容とに基づき、前記固有情報に対応する携帯通信端末の利用者が前記被災情報を登録したか否かを判定する登録有無判定手段と、
前記登録有無判定手段で前記被災情報が未登録と判定された利用者の携帯通信端末の位置情報を、前記固有情報に基づき前記通信回線に接続された機器から検出する位置情報検出手段とを備え、
前記被災提示情報生成手段は、前記位置情報検出手段で検出した位置情報に基づき、前記未登録の利用者の携帯通信端末の位置情報を表示した前記被災マップを生成することを特徴とする請求項４に記載の被災提示情報生成装置。
【請求項６】
被災情報選択手段と、被災提示情報生成手段とを備える被災提示情報生成装置を利用して、通信回線を介して携帯通信端末によって登録された災害の発生したエリアである被災エリアの被災状況を示す被災情報の登録内容に基づき、前記被災状況の提示情報である被災提示情報を生成する被災提示情報生成方法であって、
前記携帯通信端末は、前記被災情報の登録において、前記災害の発生時又は予測時に前記被災エリアに対応する通信エリア内に存在する携帯通信端末に対して同報配信される緊急速報メッセージの受信履歴を有するときには、この緊急速報メッセージの識別情報を含む同メッセージに係る災害の前記被災情報を登録するようになっており、前記緊急速報メッセージの受信履歴を有しないときには、前記識別情報を含まない前記被災情報を登録するようになっており、
前記被災情報選択手段に、前記識別情報を含む被災情報を用いた被災提示情報の生成要求に応じて、前記携帯通信端末を介して登録された前記被災情報から、所定の被災エリアに対応する前記識別情報を含む被災情報を選択させる被災情報選択ステップと、
前記被災提示情報生成手段に、前記被災情報選択ステップで選択された被災情報に基づき前記被災提示情報を生成させる被災提示情報生成ステップと、を含むことを特徴とする被災提示情報生成方法。
【請求項７】
識別情報取得手段と、登録受付制御手段と、被災情報記憶手段と、被災提示情報生成手段とを備える被災提示情報生成装置を利用して、通信回線を介して携帯通信端末によって登録された災害の発生したエリアである被災エリアの被災状況を示す被災情報の登録内容に基づき、前記被災状況の提示情報である被災提示情報を生成する被災提示情報生成方法であって、
前記携帯通信端末は、前記災害の発生時又は予測時に前記被災エリアに対応する通信エリア内に存在する携帯通信端末に対して同報配信される緊急速報メッセージを受信したときに、この緊急速報メッセージの識別情報を含む受信履歴情報を記憶するようになっており、
前記識別情報は、災害の種類を特定する情報である災害特定情報を含んでおり、
前記識別情報取得手段に、前記携帯通信端末から前記通信回線を介して受信した前記被災情報の登録要求に応じて、前記通信回線を介して前記携帯通信端末から前記受信履歴情報を取得させる受信履歴情報取得ステップと、
前記適格性判定手段に、前記識別情報取得ステップの取得結果に基づき、前記被災情報の登録要求元の携帯通信端末に対する前記被災情報の登録の適格性を判定させる適格性判定ステップと、
前記登録受付制御手段に、前記適格性判定ステップで適格と判定された携帯通信端末からの前記被災情報の登録を受け付けさせ、不適格と判定された携帯通信端末からの前記被災情報の登録を拒絶させる登録受付制御ステップと、
前記被災情報記憶手段に、前記携帯通信端末によって登録された前記被災情報を前記識別情報と対応付けて記憶させる被災情報記憶ステップと、
前記被災提示情報生成手段に、前記被災情報記憶ステップで記憶された所定の被災エリアに対応する前記被災情報に基づき前記被災提示情報を生成させる被災提示情報生成ステップと、を含み、
前記適格性判定ステップにおいては、
前記受信履歴情報取得ステップにおいて前記受信履歴情報を取得できなかった場合と、前記受信履歴情報取得ステップにおいて取得した前記受信履歴情報に含まれる前記識別情報に、登録対象の災害に対応する前記災害特定情報が含まれていないと判定した場合とに不適格と判定し、
前記受信履歴情報取得ステップにおいて取得した前記受信履歴情報に含まれる前記識別情報に、登録対象の災害に対応する前記災害特定情報が含まれていると判定した場合に適格と判定することを特徴とする被災提示情報生成方法。
【請求項８】
災害の発生したエリアである被災エリアの被災状況を示す被災情報を、通信回線を介して互いにデータ通信可能に接続された所定の登録装置に登録可能な携帯通信端末であって、
前記災害の発生時又は予測時に被災エリアに対応する通信エリア内に存在する携帯通信端末に対して同報配信される緊急速報メッセージを受信したときに、当該携帯通信端末の位置情報を取得する位置情報取得手段と、
前記受信した緊急速報メッセージの識別情報と前記位置情報とを含む受信履歴情報を記憶する受信履歴情報記憶手段と、
前記被災情報の登録要求の送信指示である登録対象の災害の種類の情報を含む登録指示に応じて該登録指示に対応する前記登録要求を、前記通信回線を介して前記登録装置に送信する登録要求送信手段と、
前記登録指示と前記受信履歴情報記憶手段によって記憶された受信履歴情報とに基づき、該登録指示の災害の種類の情報に対応する受信履歴情報が前記受信履歴情報記憶手段に記憶されている場合に前記登録装置への該登録指示に対応する前記登録要求の送信を許可し、該登録指示の災害の種類の情報に対応する前記受信履歴情報が前記受信履歴情報記憶手段に記憶されていない場合に前記登録装置への該登録指示に対応する前記登録要求の送信を阻止するように前記登録要求送信手段を制御する登録要求送信制御手段と、
前記登録装置からの登録許可応答に応じて、該登録装置に前記通信回線を介して前記被災情報を登録する被災情報登録手段と、を備えることを特徴とする携帯通信端末。
【請求項９】
前記緊急速報メッセージを受信後において、前記通信回線の輻輳を回避するための特定のタイミングで、受信した緊急速報メッセージに対する被災情報の登録を促す動作を実行する登録催促動作実行手段を備えることを特徴とする請求項８に記載の携帯通信端末。
【請求項１０】
位置情報取得手段と、受信履歴情報記憶手段と、登録要求送信手段と、登録要求送信制御手段と、被災情報登録手段とを備えた携帯通信端末を利用して、災害の発生したエリアである被災エリアの被災状況を示す被災情報を所定の登録装置に登録する被災情報登録方法であって、
前記位置情報取得手段に、前記災害の発生時又は予測時に被災エリアに対応する通信エリア内に存在する携帯通信端末に対して同報配信される緊急速報メッセージを受信したときに、前記携帯通信端末の位置情報を取得させる位置情報取得ステップと、
前記受信履歴情報記憶手段に、前記災害の発生時又は予測時に被災エリアに対応する通信エリア内に存在する携帯通信端末に対して同報配信される緊急速報メッセージを受信したときに、その識別情報を含む受信履歴情報を記憶させる受信履歴記憶ステップと、
前記登録要求送信手段に、通信回線を介して前記被災情報の登録要求の送信指示である登録対象の災害の種類の情報を含む登録指示に応じて該登録指示に対応する前記登録要求を前記登録装置に送信させる登録要求送信ステップと、
前記登録要求送信制御手段に、前記登録指示と前記受信履歴情報記憶ステップで記憶された受信履歴情報とに基づき、該登録指示の災害の種類の情報に対応する受信履歴情報が前記受信履歴情報記憶ステップにおいて記憶された受信履歴情報の中にある場合に前記登録装置への該登録指示に対応する前記登録要求の送信を許可し、前記受信履歴情報記憶ステップにおいて記憶された受信履歴情報の中にない場合に前記登録装置への該登録指示に対応する前記登録要求の送信を阻止するように前記登録要求送信手段を制御させる登録要求送信制御ステップと、
前記被災情報登録手段に、前記登録装置からの登録許可応答に応じて、該登録装置に前記通信回線を介して前記被災情報を登録させる被災情報登録ステップと、を含むことを特徴とする被災情報登録方法。
【発明の詳細な説明】
【技術分野】
【０００１】
本発明は、災害の発生時又は予測時において、被災者の登録情報に基づき被災エリアの被災状況の提示情報である被災提示情報を生成するのに好適な被災提示情報生成装置に関する。
【背景技術】
【０００２】
従来、地震等の災害が発生したときに、家族や親戚、知人等の安否を確認したいという強いニーズがあり、電話、電子メールといった通信手段が利用されている。
しかし、特定エリアに対して通信が集中すると、コアネットワーク、無線ネットワークで輻輳が生じてしまい、システムがダウンしてしまう恐れがあった。そこで、通信会社では、輻輳が予測される通信回線における通信呼の量を規制することで対処している。
【０００３】
その結果、電話で被災者と連絡をとろうとしても規制により繋がらなかったり、メールを送っても規制により届くまでの遅延が非常に大きくなったりしてしまうといった問題があった。
このような問題に対して、災害伝言板、災害伝言ダイアルといったサービスが提供されている。これらのサービスでは、被災者が自分の安否情報をネットワーク上の登録サーバに登録することで、家族等が被災地にいる被災者の安否を確認したい場合において、被災地にある電話や被災者の所持する携帯電話等に直接連絡を取らなくてもネットワーク上の登録サーバに登録された情報から安否を確認することができる。
【０００４】
しかし、家族等が被災者の安否を確認しようとしても、被災者が自身の安否情報の登録を行っていなければ、家族等はなんら情報を得ることができない。そのため、災害伝言板の認識度を高める対策や、災害伝言板への登録を促す対策などの各種対策が必要となっている。
この未登録による問題に対して、例えば、特許文献１に記載の安否情報提供システムでは、ネットワークの構成機器側で管理しているログ情報から、被災者の位置情報を取得し、その位置情報を安否情報として、その特定された位置の被災情報も合わせて提供することにより、被災者の安否をより詳しく知らせることができる方法を開示している。
【特許文献１】特開２００５−０８０２１１号公報
【発明の開示】
【発明が解決しようとする課題】
【０００５】
しかしながら、上記特許文献１に記載の従来技術においては、被災者の位置情報は、被災地の通信エリアのネットワークを構成する機器から取得するようになっているが、被災情報については、マスコミや自治体等のシステムの外部の機関から情報を収集している。これでは、災害伝言板などへの被災者からの生の登録情報と比較して、提供内容の精度の低下などが生じる恐れがあった。
【０００６】
そこで、本発明は、このような従来の技術の有する未解決の課題に着目してなされたものであって、精度の比較的高い被災提示情報を生成するのに好適な被災提示情報生成装置、被災提示情報生成方法、携帯通信端末及び被災情報登録方法を提供することを目的としている。
【課題を解決するための手段】
【０００７】
〔発明１〕  上記目的を達成するために、発明１の被災提示情報生成装置は、通信回線を介して携帯通信端末によって登録された、災害の発生したエリアである被災エリアの被災状況を示す被災情報の登録内容に基づき、前記被災状況の提示情報である被災提示情報を生成する被災提示情報生成装置であって、前記携帯通信端末は、前記被災情報の登録において、前記災害の発生時又は予測時に前記被災エリアに対応する通信エリア内に存在する携帯通信端末に対して同報配信される緊急速報メッセージの受信履歴を有するときには、この緊急速報メッセージの識別情報を含む同メッセージに係る災害の前記被災情報を登録するようになっており、前記緊急速報メッセージの受信履歴を有しないときには、前記識別情報を含まない前記被災情報を登録するようになっており、前記識別情報を含む被災情報を用いた被災提示情報の生成要求に応じて、前記携帯通信端末を介して登録された前記被災情報から、所定の災害に対応する前記識別情報を含む被災情報を選択する被災情報選択手段と、前記被災情報選択手段で選択した被災情報に基づき前記被災提示情報を生成する被災提示情報生成手段と、を備える。
【０００８】
このような構成であれば、例えば、所定の災害に対応する前記緊急速報メールの識別情報を含む前記被災提示情報の生成要求が入力されたときに、被災情報選択手段によって、携帯通信端末によって登録された被災情報から、生成要求で指定された所定の被災エリアに対応し且つ緊急速報メッセージの識別情報を含む被災情報を選択することができる。つまり、識別情報を含んでいない被災情報を除外することができる。この識別情報は、例えば、災害の種類、被災エリア、災害発生時刻などの災害の種類を特定する情報が含まれる。
【０００９】
更に、被災提示情報生成手段によって、被災情報選択手段で選択した被災情報に基づき被災提示情報を生成することができる。
従って、緊急速報メッセージを受信した携帯通信端末によって登録された被災情報のみを用いて被災提示情報を生成することができるので、実際に被災エリアにいた被災者（携帯通信端末の利用者）の登録情報から生成された信頼性の高い被災提示情報を得ることができるという効果が得られる。
【００１０】
ここで、上記通信回線は、公衆電話回線、携帯電話回線、ＬＡＮ、ＷＡＮ、インターネットなどの各種ネットワークを構成する回線を含む。以下、発明７、８の被災提示情報生成方法、発明９の携帯通信端末、発明１０の被災情報登録方法において同じである。
また、上記緊急速報メッセージは、気象庁が提供する緊急地震速報や、国・地方公共団体が提供する災害・避難情報を含むメッセージなどを含み、災害の発生したエリアである被災エリア又は災害が発生すると予測されたエリアに対応する通信エリア内に存在する携帯通信端末に対して同報配信される。携帯通信端末がこのメッセージを受信すると、受信したことを携帯通信端末の利用者に気づかせるために、例えば、ポップアップ表示や専用着信音などで知らせるようになっている。以下、発明７、８の被災提示情報生成方法、発明９の携帯通信端末、発明１０の被災情報登録方法において同じである。
【００１１】
〔発明２〕  一方、上記目的を達成するために、発明２の被災提示情報生成装置は、通信回線を介して携帯通信端末によって登録された、災害の発生したエリアである被災エリアの被災状況を示す被災情報の登録内容に基づき、前記被災状況の提示情報である被災提示情報を生成する被災提示情報生成装置であって、前記携帯通信端末は、前記災害の発生時又は予測時に前記被災エリアに対応する通信エリア内に存在する携帯通信端末に対して同報配信される緊急速報メッセージを受信したときに、この緊急速報メッセージの識別情報を含む受信履歴情報を記憶するようになっており、前記識別情報は、災害の種類を特定する情報である災害特定情報を含んでおり、前記携帯通信端末から前記通信回線を介して受信した前記被災情報の登録要求に応じて、前記通信回線を介して前記携帯通信端末から前記受信履歴情報を取得する受信履歴情報取得手段と、前記受信履歴情報取得手段の取得結果に基づき、前記被災情報の登録要求元の携帯通信端末に対する前記被災情報の登録の適格性を判定する適格性判定手段と、前記適格性判定手段で適格と判定された携帯通信端末からの前記被災情報の登録を受け付け、不適格と判定された携帯通信端末からの前記被災情報の登録を拒絶する登録受付制御手段と、前記携帯通信端末によって登録された前記被災情報を前記識別情報と対応付けて記憶する被災情報記憶手段と、前記被災情報記憶手段に記憶された所定の被災エリアに対応する前記被災情報に基づき前記被災提示情報を生成する被災提示情報生成手段と、を備え、前記適格性判定手段は、前記受信履歴情報取得手段が前記受信履歴情報を取得できなかった場合と、前記受信履歴情報取得手段で取得した前記受信履歴情報に含まれる前記識別情報に、登録対象の災害に対応する前記災害特定情報が含まれていないと判定した場合に不適格と判定し、前記受信履歴情報取得手段で取得した前記受信履歴情報に含まれる前記識別情報に、登録対象の災害に対応する前記災害特定情報が含まれていると判定した場合に適格と判定する。
【００１２】
このような構成であれば、受信履歴情報取得手段によって、携帯通信端末から被災情報の登録要求があったときに、その携帯通信端末から緊急速報メッセージの受信履歴情報を取得することができる。この受信履歴情報に含まれる識別情報から、例えば、災害の種類、被災エリア、災害発生時刻などの災害の種類を特定する。従って、識別情報には、これらの災害の種類を特定することのできる情報が含まれる。
【００１３】
更に、適格性判定手段によって、受信履歴情報の取得結果に基づき、登録要求元の携帯通信端末の利用者に対する被災情報の登録の適格性を判定することができる。具体的に、受信履歴情報を有していなかった場合（取得できなかった場合）と、取得した受信履歴情報の識別情報に、登録対象の災害に対応する識別情報がなかった場合に、適格性無し（不適格）と判定し、登録対象の災害に対応する識別情報があった場合に適格性ありと判定する。
【００１４】
更に、登録受付制御手段によって、適格と判定された携帯通信端末からの登録を受け付け、不適格と判定された携帯通信端末からの登録を拒絶することができる。
更に、被災情報記憶手段によって、適格性を有する携帯通信端末によって登録された被災情報を識別情報と対応付けて記憶することができる。
更に、被災提示情報生成手段によって、被災情報記憶手段によって記憶された、所定の被災エリアに対応する被災情報に基づき、被災提示情報を生成することができる。
【００１５】
従って、緊急速報メッセージを受信した携帯通信端末によって登録された被災情報のみを用いて被災提示情報を生成することができるので、実際に被災エリアにいた被災者の登録情報から生成された信頼性の高い被災提示情報を得ることができるという効果が得られる。
また、緊急速報メッセージを受信した携帯通信端末以外からは被災情報を登録することができないので、登録情報の記憶に必要な記憶容量を低減することができるという効果も得られる。
【００１６】
〔発明３〕  更に、発明３の被災提示情報生成装置は、発明１又は２に記載の被災提示情報生成装置において、前記被災情報は、前記携帯通信端末が前記緊急速報メッセージを受信したときの位置情報を含み、前記被災提示情報生成手段は、前記被災エリアにおける前記被災情報を登録した利用者の被災位置と前記被災情報とをマップ上に表示した被災マップを生成する。
【００１７】
このような構成であれば、被災マップから、例えば、被災エリアが複数の通信エリアに跨っているときに、各通信エリアにおける被災状況を把握することができるという効果が得られる。なお、携帯通信端末の位置情報の取得にＧＰＳを利用することで、各エリアにおける更に細かい被災状況の分布が解る被災マップを得ることができる。
【００１８】
〔発明４〕  更に、発明４の被災提示情報生成装置は、発明３に記載の被災提示情報生成装置において、前記携帯通信端末の固有情報を含む前記被災提示情報の出力要求を前記通信回線を介して受信する出力要求受信手段と、前記被災提示情報生成手段で生成した、前記出力要求に対応する前記被災提示情報を出力する被災提示情報出力手段とを備え、前記被災提示情報生成手段は、前記出力要求受信手段で受信した出力要求に含まれる前記固有情報に対応する携帯通信端末の位置情報を表示した前記被災マップを生成する。
【００１９】
このような構成であれば、出力要求受信手段によって、携帯通信端末の固有情報を含む被災提示情報の出力要求を通信回線を介して受信することができる。例えば、第三者（携帯通信端末の利用者の家族など）が、災害にあった利用者に係る被災提示情報を得るために、自宅のＰＣなどから被災提示情報生成装置（サーバの機能を有する）に対して出力要求を送信するシーンが考えられる。出力要求受信手段は、このようなシーンにおいて、ＰＣから送信された出力要求を通信回線を介して受信する。
【００２０】
更に、被災提示情報生成手段は、出力要求受信手段で受信した出力要求に含まれる固有情報に対応する携帯通信端末の位置情報を表示した被災マップを生成することができる。つまり、指定した携帯通信端末の利用者が、被災エリアのうちどのエリアにいるのかが解る被災マップを生成することができる。なお、携帯通信端末の位置情報の取得にＧＰＳ（Global Positioning System）を利用することで、より正確な位置情報をマップ上に表示することができる。
【００２１】
更に、被災提示情報出力手段によって、被災提示情報生成手段で生成した、出力要求に対応する被災提示情報を出力することができる。被災提示情報の出力は、被災者の家族のＰＣなどの通信回線を介した相手に対しては、表示情報を送信出力し、相手側で画面表示、プリントアウトなどする。
従って、被災者の家族、友人などの第三者は、災害発生時の被災者の位置情報または現在の被災者の位置情報が解る被災提示情報を得ることができるという効果が得られる。
【００２２】
〔発明５〕  更に、発明５の被災提示情報生成装置は、発明４に記載の被災提示情報生成装置において、前記出力要求受信手段で受信した前記出力要求と前記被災情報の登録内容とに基づき、前記固有情報に対応する携帯通信端末の利用者が前記被災情報を登録したか否かを判定する登録有無判定手段と、前記登録有無判定手段で前記被災情報が未登録と判定された利用者の携帯通信端末の位置情報を、前記固有情報に基づき前記通信回線に接続された機器から検出する位置情報検出手段とを備え、前記被災提示情報生成手段は、前記位置情報検出手段で検出した位置情報に基づき、前記未登録の利用者の携帯通信端末の位置情報を表示した前記被災マップを生成する。
【００２３】
このような構成であれば、登録有無判定手段によって、出力要求受信手段で受信した出力要求と被災情報の登録内容とに基づき、固有情報に対応する携帯通信端末の利用者が被災情報を登録したか否かを判定することができる。
更に、位置情報検出手段によって、登録有無判定手段で被災情報が未登録と判定された利用者の携帯通信端末の位置情報を、固有情報に基づき通信回線に接続された機器から検出することができる。例えば、携帯通信端末の位置情報を管理する機器としては、ＨＬＲ（home location register）、ＭＳＣ（移動通信交換局：Mobile Services Switching Center）、ＳＧＳＮ（Serving GPRS(General Packet Radio Service) Support Node）などがある。
【００２４】
更に、被災提示情報生成手段は、位置情報検出手段で検出した位置情報に基づき、未登録の利用者の携帯通信端末の位置情報を表示した被災マップを生成することができる。
従って、このようにして生成された被災マップから、被災マップ上における未登録の利用者の位置情報が解るので、その位置における他の登録者の被災情報から、利用者の被災状況を推測することができるという効果が得られる。
【００２５】
〔発明６〕  一方、上記目的を達成するために、発明６の被災提示情報生成方法は、被災情報選択手段と、被災提示情報生成手段とを備える被災提示情報生成装置を利用して、通信回線を介して携帯通信端末によって登録された災害の発生したエリアである被災エリアの被災状況を示す被災情報の登録内容に基づき、前記被災状況の提示情報である被災提示情報を生成する被災提示情報生成方法であって、前記携帯通信端末は、前記被災情報の登録において、前記災害の発生時又は予測時に前記被災エリアに対応する通信エリア内に存在する携帯通信端末に対して同報配信される緊急速報メッセージの受信履歴を有するときには、この緊急速報メッセージの識別情報を含む同メッセージに係る災害の前記被災情報を登録するようになっており、前記緊急速報メッセージの受信履歴を有しないときには、前記識別情報を含まない前記被災情報を登録するようになっており、前記被災情報選択手段に、前記識別情報を含む被災情報を用いた被災提示情報の生成要求に応じて、前記携帯通信端末を介して登録された前記被災情報から、所定の被災エリアに対応する前記識別情報を含む被災情報を選択させる被災情報選択ステップと、前記被災提示情報生成手段に、前記被災情報選択ステップで選択された被災情報に基づき前記被災提示情報を生成させる被災提示情報生成ステップと、を含む。
このような構成であれば、発明１の被災提示情報生成装置と同等の作用及び効果が得られる。
【００２６】
〔発明７〕  また、上記目的を達成するために、発明７の被災提示情報生成方法は、識別情報取得手段と、登録受付制御手段と、被災情報記憶手段と、被災提示情報生成手段とを備える被災提示情報生成装置を利用して、通信回線を介して携帯通信端末によって登録された災害の発生したエリアである被災エリアの被災状況を示す被災情報の登録内容に基づき、前記被災状況の提示情報である被災提示情報を生成する被災提示情報生成方法であって、前記携帯通信端末は、前記災害の発生時又は予測時に前記被災エリアに対応する通信エリア内に存在する携帯通信端末に対して同報配信される緊急速報メッセージを受信したときに、この緊急速報メッセージの識別情報を含む受信履歴情報を記憶するようになっており、前記識別情報は、災害の種類を特定する情報である災害特定情報を含んでおり、前記識別情報取得手段に、前記携帯通信端末から前記通信回線を介して受信した前記被災情報の登録要求に応じて、前記通信回線を介して前記携帯通信端末から前記受信履歴情報を取得させる受信履歴情報取得ステップと、前記適格性判定手段に、前記識別情報取得ステップの取得結果に基づき、前記被災情報の登録要求元の携帯通信端末に対する前記被災情報の登録の適格性を判定させる適格性判定ステップと、前記登録受付制御手段に、前記適格性判定ステップで適格と判定された携帯通信端末からの前記被災情報の登録を受け付けさせ、不適格と判定された携帯通信端末からの前記被災情報の登録を拒絶させる登録受付制御ステップと、前記被災情報記憶手段に、前記携帯通信端末によって登録された前記被災情報を前記識別情報と対応付けて記憶させる被災情報記憶ステップと、前記被災提示情報生成手段に、前記被災情報記憶ステップで記憶された所定の被災エリアに対応する前記被災情報に基づき前記被災提示情報を生成させる被災提示情報生成ステップと、を含み、前記適格性判定ステップにおいては、前記受信履歴情報取得ステップにおいて前記受信履歴情報を取得できなかった場合と、前記受信履歴情報取得ステップにおいて取得した前記受信履歴情報に含まれる前記識別情報に、登録対象の災害に対応する前記災害特定情報が含まれていないと判定した場合とに不適格と判定し、前記受信履歴情報取得ステップにおいて取得した前記受信履歴情報に含まれる前記識別情報に、登録対象の災害に対応する前記災害特定情報が含まれていると判定した場合に適格と判定する。
このような構成であれば、発明２の被災提示情報生成装置と同等の作用及び効果が得られる。
【００２７】
〔発明８〕  また、上記目的を達成するために、発明８の携帯通信端末は、災害の発生したエリアである被災エリアの被災状況を示す被災情報を、通信回線を介して互いにデータ通信可能に接続された所定の登録装置に登録可能な携帯通信端末であって、前記災害の発生時又は予測時に被災エリアに対応する通信エリア内に存在する携帯通信端末に対して同報配信される緊急速報メッセージを受信したときに、当該携帯通信端末の位置情報を取得する位置情報取得手段と、前記受信した緊急速報メッセージの識別情報と前記位置情報とを含む受信履歴情報を記憶する受信履歴情報記憶手段と、前記被災情報の登録要求の送信指示である登録対象の災害の種類の情報を含む登録指示に応じて該登録指示に対応する前記登録要求を、前記通信回線を介して前記登録装置に送信する登録要求送信手段と、前記登録指示と前記受信履歴情報記憶手段によって記憶された受信履歴情報とに基づき、該登録指示の災害の種類の情報に対応する受信履歴情報が前記受信履歴情報記憶手段に記憶されている場合に前記登録装置への該登録指示に対応する前記登録要求の送信を許可し、該登録指示の災害の種類の情報に対応する前記受信履歴情報が前記受信履歴情報記憶手段に記憶されていない場合に前記登録装置への該登録指示に対応する前記登録要求の送信を阻止するように前記登録要求送信手段を制御する登録要求送信制御手段と、前記登録装置からの登録許可応答に応じて、該登録装置に前記通信回線を介して前記被災情報を登録する被災情報登録手段と、を備える。
【００２８】
このような構成であれば、位置情報取得手段によって、緊急速報メッセージを受信したときの位置情報を取得することができる。この位置情報の取得処理は、例えば、携帯通信端末が受信時に在圏しているエリア（Cell）の位置情報（例えば、Cell-ID）を取得することで行われる。また、例えば、在圏している位置情報が認識できない場合は、緊急速報メッセージに含まれるセル・セクター情報を取得することで行われる。
【００２９】
更に、受信履歴情報記憶手段によって、緊急速報メッセージの識別情報と受信時の位置情報とを含む受信履歴情報を記憶することができる。この識別情報は、例えば、災害の種類、被災エリア、災害発生時刻などの災害の種類を特定することのできる情報が含まれる。
更に、登録要求送信手段によって、被災情報の登録要求の送信指示である登録対象の災害の種類の情報を含む登録指示に応じて該登録指示に対応する登録要求を、例えば、災害伝言板の提供サーバなどの所定の登録装置に送信することができる。災害伝言ダイアルの場合は、登録要求の送信処理は災害伝言ダイアルの電話番号の発信処理となる。
【００３０】
更に、登録要求送信制御手段によって、受信履歴情報の記憶された被災情報に対する登録装置への登録要求の送信を許可し、受信履歴情報の記憶されていない被災情報に対する登録装置への登録要求の送信を阻止するように登録要求送信手段を制御することができる。
更に、被災情報登録手段によって、登録装置から登録許可を得たときに、該当する被災情報を登録することができる。例えば、災害伝言ダイアルの場合は通話状態となって、被災者は音声やプッシュボタンの押下等によって被災情報を登録する。また、例えば、災害伝言板の場合は、該当する災害に対する被災情報の登録が可能な状態となり、被災者はプッシュボタンの押下等によって被災情報を登録する。
【００３１】
従って、緊急速報メッセージを受信した携帯通信端末にのみ被災情報の登録を行うことができるように登録要求の発信内容を制御するようにしたので、被災提示情報を生成する装置においては、緊急速報メッセージを受信した携帯通信端末によって登録された被災情報のみを用いて被災提示情報を生成することができる。これによって、被災提示情報の生成装置に、実際に被災エリアにいた被災者の登録情報から生成された信頼性の高い被災提示情報を生成させることができるという効果が得られる。
【００３２】
〔発明９〕  更に、発明９の携帯通信端末は、発明８に記載の被災提示情報生成装置において、前記緊急速報メッセージを受信後において、前記通信回線の輻輳を回避するための特定のタイミングで、受信した緊急速報メッセージに対する被災情報の登録を促す動作を実行する登録催促動作実行手段を備える。
このような構成であれば、登録催促動作実行手段によって、緊急速報メッセージを受信後における通信回線の輻輳を回避するための特定のタイミングで、該受信した緊急速報メッセージに対する被災情報の登録を促す動作を実行することができる。
【００３３】
つまり、被災エリアに対応する通信エリア内の携帯通信端末に対しては、被災者の家族などからの電話や電子メールが殺到して、この通信エリアに対して通信呼が集中するため通信呼の輻輳によりシステムがダウンする可能性がある。そこで、登録催促動作実行手段は、輻輳が発生するのを避けるために、特定のタイミングで登録を促す動作を実行する。
従って、登録を促す動作を行うようにしたので、被災情報が未登録の被災者に対して登録を促すことができ、被災情報の登録率を上げることができるという効果が得られる。更に、通信呼の輻輳を回避する特定のタイミングで登録を促す動作を実行するようにしたので、輻輳を発生させずに登録率を上げることができるという効果が得られる。
【００３４】
ここで、上記登録を促す動作は、被災情報の登録を促すメッセージの表示、登録画面の表示、音による通知、これらの組み合わせなどが該当する。
また、上記特定のタイミングは、例えば、ランダムなタイミング、携帯通信端末の通話ボタン又はネット接続用のボタンが押下されたタイミング、携帯通信端末の電話番号の下一桁×Ｎ分後（Ｎは１以上の自然数）のタイミングなど、通信エリア内の多数の携帯通信端末が同時に登録を行わないようにするタイミングとなる。
【００３５】
〔発明１０〕  また、上記目的を達成するために、発明１０の被災情報登録方法は、位置情報取得手段と、受信履歴情報記憶手段と、登録要求送信手段と、登録要求送信制御手段と、被災情報登録手段とを備えた携帯通信端末を利用して、災害の発生したエリアである被災エリアの被災状況を示す被災情報を所定の登録装置に登録する被災情報登録方法であって、前記位置情報取得手段に、前記災害の発生時又は予測時に被災エリアに対応する通信エリア内に存在する携帯通信端末に対して同報配信される緊急速報メッセージを受信したときに、前記携帯通信端末の位置情報を取得させる位置情報取得ステップと、前記受信履歴情報記憶手段に、前記災害の発生時又は予測時に被災エリアに対応する通信エリア内に存在する携帯通信端末に対して同報配信される緊急速報メッセージを受信したときに、その識別情報を含む受信履歴情報を記憶させる受信履歴記憶ステップと、前記登録要求送信手段に、通信回線を介して前記被災情報の登録要求の送信指示である登録対象の災害の種類の情報を含む登録指示に応じて該登録指示に対応する前記登録要求を前記登録装置に送信させる登録要求送信ステップと、前記登録要求送信制御手段に、前記登録指示と前記受信履歴情報記憶ステップで記憶された受信履歴情報とに基づき、該登録指示の災害の種類の情報に対応する受信履歴情報が前記受信履歴情報記憶ステップにおいて記憶された受信履歴情報の中にある場合に前記登録装置への該登録指示に対応する前記登録要求の送信を許可し、前記受信履歴情報記憶ステップにおいて記憶された受信履歴情報の中にない場合に前記登録装置への該登録指示に対応する前記登録要求の送信を阻止するように前記登録要求送信手段を制御させる登録要求送信制御ステップと、前記被災情報登録手段に、前記登録装置からの登録許可応答に応じて、該登録装置に前記通信回線を介して前記被災情報を登録させる被災情報登録ステップと、を含む。
このような構成であれば、発明８の携帯通信端末と同等の作用及び効果が得られる。
【発明を実施するための最良の形態】
【００３６】
〔第１の実施の形態〕
以下、本発明の第１の実施の形態を図面に基づき説明する。図１〜図９は、本発明に係る被災提示情報生成装置、被災提示情報生成方法、携帯通信端末及び被災情報登録方法の第１の実施の形態を示す図である。
まず、本発明に係る被災提示情報提供システムの構成を図１に基づき説明する。図１は、本発明に係る被災提示情報提供システム１の概略構成を示すブロック図である。
【００３７】
被災提示情報提供システム１は、図１に示すように、緊急速報配信サーバ１０と、ｎ台の携帯通信端末２０_１〜２０_ｎと、被災提示情報生成サーバ３０と、ｍ基の携帯電話の基地局４０_１〜４０_ｍと、ネットワーク５０とを含んだ構成となっている。
携帯通信端末２０_１〜２０_ｎ（以下、区別しないときは、単に携帯通信端末２０と称す）と、緊急速報配信サーバ１０と、被災提示情報生成サーバ３０とは、基地局４０_１〜２０_ｍ（以下、区別しないときは、単に基地局４０と称す）及びネットワーク５０を介して互いにデータ通信可能に接続されている。
【００３８】
緊急速報配信サーバ１０は、地震などの災害が発生したときに、災害の発生したエリアである被災エリアまたは災害（地震による津波などの２次災害など）が発生すると予測されたエリア（これも被災エリアとする）に対応する通信エリアに存在する携帯通信端末２０に対して、緊急速報メールを同報配信する機能を有したサーバである。この緊急速報メールには、配信先の通信エリアの情報、気象庁が提供する緊急地震速報、国・地方公共団体が提供する災害・避難情報などが含まれる。
【００３９】
携帯通信端末２０_１〜２０_ｎは、本実施の形態においては、携帯電話、ＰＨＳ（Personal Handy-phone System）などを主体に構成され、少なくとも、通常の電話機能と、緊急速報メールの受信機能と、被災情報の登録機能とを備えた携帯型の端末である。そして、携帯通信端末２０_１〜２０_ｎは、各利用者に携帯されて移動する。なお、携帯通信端末２０_１〜２０_ｎは、携帯電話と同等の機能を有した送受信モジュールを装着したＰＤＡ（Personal Data Assistance）、ノートＰＣ（Personal Computer）などでもよい。
【００４０】
被災提示情報生成サーバ３０は、携帯通信端末２０_１〜２０_ｎを介した被災情報の登録処理、携帯通信端末２０_１〜２０_ｎの利用者（以下、被災エリアにいる利用者を適宜被災者と呼ぶ）の家族や知人などの第三者の操作する端末からの出力要求に応じて、登録された被災情報から被災提示情報を生成する処理、生成した被災情報を要求元の第三者の端末に出力する処理などを実行する機能を有している。
【００４１】
基地局４０_１〜４０_ｍは、公知の携帯電話、ＰＨＳの基地局であり、それぞれに割り当てられた通信エリア（セル）内に存在する携帯通信端末２０と無線通信を行って、ネットワーク５０を介して送られてきた通信呼（パケットデータ）をエリア内の該当する携帯通信端末２０に無線で送信したり、エリア内の携帯通信端末２０から受信した通信呼をネットワーク５０や他の基地局を介して、他のエリアの携帯通信端末２０や、ネットワーク５０に接続された各種サーバなどの外部機器に送信したりする機能を有している。
ネットワーク５０は、公衆電話回線、携帯電話回線、各種プロバイダの提供する通信回線などを含む様々な通信回線が複合した大規模なネットワークである。
【００４２】
次に、図２に基づき、携帯通信端末２０の詳細な構成を説明する。ここで、図２は、携帯通信端末２０の詳細な構成を示すブロック図である。
携帯通信端末２０は、図２に示すように、データ送受信部２０ａと、データ制御部２０ｂとを含んで構成される。
【００４３】
データ送受信部２０ａは、データ制御部２０ｂから送信指示のあったデータを、基地局４０及びネットワーク５０を介して、他の携帯通信端末２０、被災提示情報生成サーバ３０などの目的の送信先の装置に向けて送信する機能を有している。更に、他の携帯通信端末２０、緊急速報配信サーバ１０、被災提示情報生成サーバ３０などからネットワーク５０及び基地局４０を介して送られてきたデータを受信する機能を有している。
【００４４】
データ制御部２０ｂは、当該携帯通信端末２０の各構成要素間のデータの授受を管理するもので、各構成要素からのデータを他の構成要素に伝送する機能を有している。
携帯通信端末２０は、更に、緊急速報メール処理部２０ｃと、受信履歴情報記憶部２０ｄと、情報表示部２０ｆと、音声出力部２０ｈとを含んで構成される。
緊急速報メール処理部２０ｃは、データ送受信部２０ａにおいて緊急速報メールを受信したときに、この受信した緊急速報メールをデータ制御部２０ｂを介して取得し、該取得した緊急速報メールに対する受信履歴情報を生成する機能を有している。
【００４５】
具体的に、まず、取得した緊急速報メールから、災害の種類や送信先のエリアなどを識別できる識別情報を抽出する一方、緊急速報メールを受信時の携帯通信端末の位置情報を取得する。位置情報の取得は、基地局４０からＣｅｌｌ−ＩＤを取得したり、当該携帯通信端末２０がＧＰＳ機能を有している場合は、ＧＰＳ機能を利用して受信時の位置情報を取得したりする。そして、抽出した識別情報及び取得した位置情報に基づき、これらの情報を含む受信履歴情報を生成する。更に、生成した受信履歴情報を、受信履歴情報記憶部２０ｄに記憶する。例えば、この受信履歴情報は、一定期間（例えば、１週間）保存され、その後削除される。
【００４６】
更にまた、緊急速報メール処理部２０ｃは、緊急速報メールを受信したことを携帯通信端末２０の利用者に通知する機能を有している。
具体的に、データ制御部２０ｂを介して、情報表示部２０ｆに緊急速報メールの受信を示すポップアップ画面の表示指示を伝送すると共に、音声出力部２０ｈに専用のブザー音の出力指示を伝送する。なお、当該携帯通信端末２０がバイブレーション機能を有する場合は、振動による通知も加えるようにしてもよい。
【００４７】
情報表示部２０ｆは、データ制御部２０ｂからの情報の表示指示に応じて、各種情報を当該携帯通信端末２０の有する不図示の表示部（例えば、液晶ディスプレイ）に表示する。
音声出力部２０ｈは、データ制御部２０ｂからの音声の出力指示に応じて、各種指定音を当該携帯通信端末２０の有する不図示のスピーカから出力する。
【００４８】
携帯通信端末２０は、更に、被災情報登録部２０ｅを含んで構成される。
被災情報登録部２０ｅは、当該携帯通信端末２０の有する不図示の操作部を使った利用者の操作入力に応じて、被災提示情報生成サーバ３０が提供する、被災情報の登録ダイアルサービスにダイアル発信をしたり、被災情報のネット登録サービスに登録要求（例えば、登録ページのＵＲＬ）を送信したりする。そして、被災提示情報生成サーバ３０から登録許可応答を受信したときに、利用者による操作部（例えば、プッシュボタン）の操作に応じて、被災情報の登録処理を実行する。このとき、登録する被災情報に対応する受信履歴情報が受信履歴情報記憶部２０ｄに記憶されている場合に、その受信履歴情報（又はその内容を示す情報）を、被災情報に加えて登録する。
【００４９】
ここで、被災情報としては、携帯通信端末２０の利用者の固有情報（名前、携帯電話番号など）、利用者のケガの有無、ケガの度合いなどの安否に係る情報、利用者の周辺の被災状況（交通機関の状態、建物の倒壊の程度など）などの情報を登録する。また、サーバ側での統計情報の生成のために、利用者の年齢や性別などの属性情報を登録するようにしてもよい。これは、若者よりもシニアの方が被害を受けやすいことから属性によって登録内容が異なってくるからである。例えば、同じ位置いたＡさん（男：２４歳）は無事でも、Ｂさん（男：７２歳）は大怪我をしたなど。
【００５０】
携帯通信端末２０は、更に、登録催促動作実行部２０ｇを含んで構成される。
登録催促動作実行部２０ｇは、緊急速報メールの受信後における特定のタイミングで被災情報の登録を当該携帯通信端末２０の利用者に催促する動作（以下、登録催促動作と称す）を実行する機能を有している。
【００５１】
登録催促動作は、具体的に、データ制御部２０ｂを介して、情報表示部２０ｆに登録を催促するポップアップ画面の表示指示を伝送すると共に、音声出力部２０ｈに専用のブザー音の出力指示を伝送する。これにより、携帯通信端末２０の表示部に登録を催促する旨のメッセージを含むポップアップ画面が表示されると共に、専用のブザー音がスピーカから出力される（マナーモードが設定されていても音を鳴らすようにしてもよい）。なお、当該携帯通信端末２０がバイブレーション機能を有する場合は、振動による通知も加えるようにしてもよい。
【００５２】
また、特定のタイミングは、緊急速報メールを受信後における、例えば５〜３０分の間のランダムな時間を経過後のタイミング、当該携帯通信端末２０の電話番号の下一桁×Ｎ分を経過後のタイミング、利用者によって通話ボタン、ネット接続ボタンが押下されたタイミングなど、登録催促動作の機能を有する携帯通信端末２０に予め設定されたタイミングとなる。例えば、ランダムな経過時間は、電話番号などを元に乱数を発生して決める。
【００５３】
なお、携帯通信端末２０は、図示しないが、上記各部の処理を制御するためのプログラムの記憶された不揮発性の記憶媒体と、プログラムの実行において使用するデータを一時記憶するためのＲＡＭと、プログラムを実行するためのＣＰＵ（中央処理装置）と、上記各部間のデータの送受信を行うためのバスと、外部装置とのデータの送受信を行うためのアンテナと、Ｉ／Ｆ（インターフェース）回路とを備えている。
【００５４】
また、上記記憶媒体は、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。但し、が携帯電話であれば、その構造上、記憶媒体は主に半導体記憶媒体となる。
【００５５】
次に、図３に基づき、被災提示情報生成サーバ３０の詳細な構成を説明する。ここで、図３は、被災提示情報生成サーバ３０の詳細な構成を示すブロック図である。
被災提示情報生成サーバ３０は、図３に示すように、データ送受信部３０ａと、データ制御部３０ｂとを含んで構成される。
データ送受信部３０ａは、データ制御部３０ｂから送信指示のあったデータを、基地局４０及びネットワーク５０を介して携帯通信端末２０や緊急速報配信サーバ１０などの外部機器に送信する機能を有している。更に、携帯通信端末２０や緊急速報配信サーバ１０などの外部機器から基地局４０及びネットワーク５０を介して送られてきたデータを受信する機能を有している。
【００５６】
データ制御部３０ｂは、当該被災提示情報生成サーバ３０の各構成要素間のデータの授受を総括管理するもので、各構成部からのデータを他の構成部に伝送する機能を有している。
被災提示情報生成サーバ３０は、更に、速報情報取得部３０ｃと、速報情報記憶部３０ｄとを含んで構成される。
【００５７】
速報情報取得部３０ｃは、被災エリアに対して同報配信された緊急速報メールの識別情報を含む速報情報を取得する機能を有している。本実施の形態においては、緊急速報配信サーバ１０から被災エリアの携帯通信端末に配信された緊急速報メールが、被災提示情報生成サーバ３０にも配信されるようになっており、この緊急速報メールからその識別情報などを抽出し、速報情報を生成することで取得する。更に、生成した速報情報を、速報情報記憶部３０ｄに記憶する。
【００５８】
被災提示情報生成サーバ３０は、更に、被災情報登録部３０ｅと、被災情報記憶部３０ｆとを含んで構成される。
被災情報登録部３０ｅは、携帯通信端末２０からの登録要求に応じて、登録許可応答又は登録不許可応答の送信処理、音声登録案内又は登録ページを介して登録された被災情報の記憶処理などを行う機能を有している。本実施の形態において、登録許可応答の送信処理は、音声による登録案内情報の送信処理または被災情報の登録ページ情報の送信処理となり、登録不許可応答の送信処理は、「大変混雑しています」等の不許可音声の送信処理または同内容のメッセージ情報の送信処理となる。
【００５９】
被災情報記憶部３０ｆは、被災情報登録部３０ｅの被災情報の記憶指示に応じて、携帯通信端末２０を介して登録された被災情報を記憶する。この被災情報には、携帯通信端末２０側に受信履歴情報がある場合に、その情報が含まれる。
被災提示情報生成サーバ３０は、更に、被災情報選択部３０ｇと、被災提示情報生成部３０ｈと、被災提示情報出力部３０ｉと、位置情報検出部３０ｊとを含んで構成される。
【００６０】
被災情報選択部３０ｇは、被災者の家族などの第三者の管理下にある端末装置から受信した被災提示情報の出力要求に応じて、被災情報記憶部３０ｆに記憶された出力要求に対応する被災エリアの被災情報から、受信履歴情報を有する被災情報を選択する機能を有している。ここで、出力要求には、指定被災者の携帯通信端末の固有情報（電話番号など）と、災害内容及び被災エリアを特定する情報とが含まれている。
【００６１】
更に、被災情報選択部３０ｇは、選択した被災情報の中に、出力要求で指定された指定被災者の登録した被災情報が含まれているか否かを判定し、この判定結果を被災提示情報生成部３０ｈに出力する。また、指定被災者の被災情報が含まれていないと判定された場合は、指定被災者の位置情報の検出指示を位置情報検出部３０ｊに出力する。
被災提示情報生成部３０ｈは、被災情報選択部３０ｇで選択された被災情報の中に、指定被災者の登録した被災情報が含まれている場合は、被災情報選択部３０ｇで選択された被災情報に基づき、指定被災者の位置情報及び被災情報を含む被災提示情報を生成する。一方、指定被災者の被災情報が登録されていない場合は、位置情報検出部３０ｊで検出した位置情報と被災情報選択部３０ｇで選択された被災情報に基づき被災提示情報を生成する。
【００６２】
ここで、被災提示情報は、被災情報に付加された受信履歴情報に含まれる位置情報と、その位置情報に対応する被災情報とに基づき生成され、同じ位置情報に対応する被災情報の統計情報を生成し、マップ上に、指定被災者の位置情報と、他の被災者の位置情報と、各位置情報に対応する統計情報とを表示した被災マップとして生成される。
被災提示情報出力部３０ｉは、被災提示情報生成部３０ｈで生成された被災提示情報を、出力要求の送信元の第三者の端末にデータ制御部３０ｂ及びデータ送受信部３０ａを介して出力する。
【００６３】
位置情報検出部３０ｊは、被災情報選択部３０ｇからの検出指示に応じて、出力要求に含まれる指定被災者の携帯通信端末２０の固有情報に基づき、ネットワーク５０を介して通信可能に接続された位置管理機器から指定被災者の携帯通信端末２０の位置情報を検出する。位置情報の検出方法としては、対象の携帯通信端末２０がＧＰＳ機能を有していれば、ＧＰＳ衛星を利用した位置測定を行って、対象の携帯通信端末２０の位置情報を検出する。
【００６４】
一方、ＧＰＳ機能を利用できなかったり、対象の携帯通信端末２０にＧＰＳ機能が付いていない場合などは、ＨＬＲ（home location register）、ＭＳＣ（移動通信交換局：Mobile Services Switching Center）、ＳＧＳＮ（Serving GPRS(General Packet Radio Service) Support Node）などの位置管理機器の保持している位置情報から、携帯通信端末２０の固有情報（電話番号など）によって検索をかけて、該当する携帯通信端末２０の位置情報を検出する。但し、この位置情報は、履歴情報となるので、ＧＰＳなどを使った位置検出と比較すると古い位置情報となる。
【００６５】
なお、被災提示情報生成サーバ３０は、図示しないが、上記各構成部の処理を制御するためのプログラムの記憶された不揮発性の記憶媒体と、プログラムの実行において使用するデータを一時記憶するためのＲＡＭと、プログラムを実行するためのＣＰＵ（中央処理装置）と、上記各構成部間のデータの送受信を行うためのバスと、外部装置とのデータの送受信を行うためのＩ／Ｆ（インターフェース）回路とを備えている。そして、このＩ／Ｆ回路を介して、プリンタやＣＲＴモニタ、液晶ディスプレイ等の出力装置、マウス、キーボードなどの入力装置、および外部装置と通信するためのネットワークカードなどが接続される。
【００６６】
また、記憶媒体は、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
【００６７】
次に、図４に基づき、携帯通信端末２０の被災情報の登録に係る動作処理の流れを説明する。
ここで、図４は、携帯通信端末２０の被災情報の登録に係る動作処理を示すフローチャートである。
被災情報の登録に係る動作処理が開始されると、まず、ステップＳ１００に移行し、緊急速報メール処理部２０ｃにおいて、緊急速報メールを受信したか否かを判定し、受信したと判定した場合(Yes)は、ステップＳ１０２に移行し、そうでない場合(No)は、ステップＳ１１０に移行する。
【００６８】
ステップＳ１０２に移行した場合は、緊急速報メール処理部２０ｃにおいて、緊急速報メールの受信時の携帯通信端末の位置情報を取得して、ステップＳ１０４に移行する。
この位置情報の取得処理は、ＧＰＳ機能を有していればＧＰＳ衛星からの位置信号を受信することで位置情報を取得し、ＧＰＳ機能が無いか、通信回線の輻輳などが原因で使えない場合は、基地局４０からＣｅｌｌ−ＩＤを取得するか、Ｃｅｌｌ−ＩＤが取得できない場合は、最終的に緊急速報メールに含まれるエリア情報を位置情報として取得する。
【００６９】
ステップＳ１０４では、緊急速報メール処理部２０ｃにおいて、情報表示部２０ｆにポップアップ画面を表示する指示を与えると共に、音声出力部２０ｈに専用のブザー音を出力する指示を与えて、緊急速報メールを受信したことを被災者に通知させて、ステップＳ１０６に移行する。
ステップＳ１０６では、緊急速報メール処理部２０ｃにおいて、受信した緊急速報メールとステップＳ１０２で取得した位置情報とに基づき、受信履歴情報を生成して、ステップＳ１０８に移行する。
【００７０】
ステップＳ１０８では、緊急速報メール処理部２０ｃにおいて、ステップＳ１０６で生成した受信履歴情報を、受信履歴情報記憶部２０ｄに記憶して、ステップＳ１００に移行する。
一方、ステップＳ１００において、緊急速報メールを受信せずにステップＳ１１０に移行した場合は、被災情報登録部２０ｅにおいて、不図示の操作部を介して被災情報の登録指示が入力されたか否かを判定し、入力されたと判定した場合(Yes)は、ステップＳ１１２に移行し、そうでない場合(No)は、ステップＳ１００に移行する。
【００７１】
ステップＳ１１２に移行した場合は、被災情報登録部２０ｅにおいて、データ制御部２０ｂ及びデータ送受信部２０ａを介して、被災情報の登録要求を、被災提示情報生成サーバ３０に送信し、ステップＳ１１４に移行する。
この登録要求の送信処理は、例えば、災害伝言ダイアルなどの被災情報の登録ダイアルサービスに対しては、その電話番号の発信処理となり、例えば、災害伝言板などの被災情報のネット登録サービスに対しては、その登録ページへのアクセス情報の送信処理となる。
【００７２】
ステップＳ１１４では、被災情報登録部２０ｅにおいて、被災提示情報生成サーバ３０からの応答に基づき、被災情報の登録が許可されたか否かを判定し、許可されたと判定した場合(Yes)は、登録の音声案内の受信及び出力または登録ページの表示を行って、ステップＳ１１６に移行し、そうでない場合(No)は、ステップＳ１２４に移行する。
ステップＳ１１６に移行した場合は、被災情報登録部２０ｅにおいて、被災情報を登録して、ステップＳ１１８に移行する。
【００７３】
具体的に、被災情報の登録は、登録ダイアルサービスの場合は、例えば、操作部を介して入力された情報（プッシュボタンの情報など）を被災提示情報生成サーバ３０に送信することで行われ、ネット登録サービスの場合は、例えば、操作部を介して入力された情報を一時記憶する処理となる。
ステップＳ１１８では、被災情報登録部２０ｅにおいて、操作部を介した入力に基づき、被災情報の登録が終了したか否かを判定し、終了したと判定した場合(Yes)は、ステップＳ１２０に移行し、そうでない場合(No)は、ステップＳ１１６に移行して、被災情報の登録を続行する。
【００７４】
ステップＳ１２０に移行した場合は、被災情報登録部２０ｅにおいて、受信履歴情報記憶部２０ｄの記憶内容に基づき、登録要求の被災情報に対応する緊急速報メールの受信履歴情報があるか否かを判定し、あると判定した場合(Yes)は、ステップＳ１２２に移行し、そうでない場合(No)は、登録処理を終了して、ステップＳ１００に移行する。
ステップＳ１２２に移行した場合は、被災情報登録部２０ｅにおいて、登録対象の災害に対応する受信履歴情報を、データ制御部２０ｂ及びデータ送受信部２０ａを介して、被災提示情報生成サーバ３０に送信して、登録処理を終了し、ステップＳ１００に移行する。
【００７５】
一方、ステップＳ１１４において、登録が許可されずにステップＳ１２４に移行した場合は、被災情報登録部２０ｅにおいて、利用者に不許可であることを通知する処理を実行して、ステップＳ１００に移行する。不許可の通知は、登録ダイアルサービスであれば、例えば、混雑によるかけ直しを要求する音声を受話スピーカから出力することで行ない、ネット登録サービスであれば、例えば、混雑で接続できないなどのメッセージを表示部に表示することで行う。
【００７６】
次に、図５に基づき、携帯通信端末２０の登録催促動作の流れを説明する。
ここで、図５は、携帯通信端末２０の登録催促動作を示すフローチャートである。
登録催促動作が開始されると、まず、ステップＳ２００に移行し、登録催促動作実行部２０ｇにおいて、緊急速報メール処理部２０ｃからの通知に基づき緊急速報メールを受信したか否かを判定し、受信したと判定した場合(Yes)は、ステップＳ２０２に移行し、そうでない場合(No)は、受信するまで待機する。
【００７７】
ステップＳ２０２に移行した場合は、登録催促動作実行部２０ｇにおいて、利用者に対して被災情報の登録を催促するタイミングの監視処理を開始して、ステップＳ２０４に移行する。このタイミングの監視は、設定された条件に基づき行われる。例えば、ランダムの経過時間を算出し、この算出した時間が経過するタイミングを監視したり、利用者によって通話ボタン、ネット接続ボタンが押下されるタイミングを監視したり、電話番号の下一桁×Ｎ分を算出し、その算出した時間が経過するタイミングを監視したりする。
【００７８】
ステップＳ２０４では、登録催促動作実行部２０ｇにおいて、ステップＳ２０２に監視結果に基づき、特定のタイミングになったか否かを判定し、なったと判定した場合(Yes)は、ステップＳ２０６に移行し、そうでない場合(No)は、特定のタイミングが検出されるまで判定処理を繰り返す。
ステップＳ２０６に移行した場合は、登録催促動作実行部２０ｇにおいて、利用者に対して、受信した緊急速報メールに対応する被災情報の登録を催促する動作処理を実行して、ステップＳ２００に移行する。
【００７９】
次に、図６に基づき、被災提示情報生成サーバ３０の被災提示情報の生成に係る動作処理の流れを説明する。
ここで、図６は、被災提示情報生成サーバ３０の被災提示情報の生成に係る動作処理を示すフローチャートである。
被災提示情報の生成に係る動作処理が開始されると、まず、ステップＳ３００に移行し、速報情報取得部３０ｃにおいて、データ制御部３０ｂからの通知に基づき、緊急速報配信サーバ１０からの緊急速報メールを受信したか否かを判定し、受信したと判定した場合(Yes)は、ステップＳ３０２に移行し、そうでない場合(No)は、ステップＳ３０６に移行する。
【００８０】
ステップＳ３０２に移行した場合は、速報情報取得部３０ｃにおいて、受信した緊急速報メールに基づき、速報情報を生成して、ステップＳ３０４に移行する。
ステップＳ３０４では、速報情報取得部３０ｃにおいて、ステップＳ３０２で生成した速報情報を速報情報記憶部３０ｄに記憶して、ステップＳ３００に移行する。
一方、ステップＳ３００において、緊急速報メールを受信せずにステップＳ３０６に移行した場合は、被災情報登録部３０ｅにおいて、データ制御部３０ｂからの通知に基づき、携帯通信端末２０からの被災情報の登録要求を受信したか否かを判定し、受信したと判定した場合(Yes)は、ステップＳ３０８に移行し、そうでない場合(No)は、ステップＳ３１８に移行する。
【００８１】
ステップＳ３０８に移行した場合は、被災情報登録部３０ｅにおいて、通信回線の混雑度などに基づき、被災情報の登録処理を受付可能か否かを判定し、受付可能であると判定した場合(Yes)は、ステップＳ３１０に移行し、そうでない場合(No)は、ステップＳ３１６に移行する。
ステップＳ３１０に移行した場合は、被災情報登録部３０ｅにおいて、登録許可の応答を、データ制御部３０ｂ及びデータ送受信部３０ａを介して、登録要求の送信元の携帯通信端末２０に送信して、ステップＳ３１２に移行する。
【００８２】
ここで、登録許可の応答は、例えば、登録ダイアルサービスの場合は、被災情報の登録案内の音声アナウンスの情報となり、ネット登録サービスの場合は、登録ページの情報となる。
ステップＳ３１２では、被災情報登録部３０ｅにおいて、データ制御部３０ｂを介して被災情報を受信したか否かを判定し、受信したと判定した場合(Yes)は、ステップＳ３１４に移行し、そうでない場合(No)は、受信するまで待機する。
【００８３】
ステップＳ３１４に移行した場合は、被災情報登録部３０ｅにおいて、ステップＳ３１２で受信した被災情報を、被災情報記憶部３０ｆに記憶して、ステップＳ３００に移行する。
一方、ステップＳ３０８において、登録を受け付けできずにステップＳ３１６に移行した場合は、被災情報登録部３０ｅにおいて、登録不許可の応答を、データ制御部３０ｂ及びデータ送受信部３０ａを介して、登録要求の送信元の携帯通信端末２０に送信して、ステップＳ３００に移行する。
【００８４】
ここで、登録不許可の応答は、例えば、登録ダイアルサービスの場合は、回線の混雑を知らせる音声アナウンスの情報などとなり、ネット登録サービスの場合は、登録ページへのアクセスが集中している旨のメッセージの情報などとなる。
また、ステップＳ３０６において登録要求を受信せずにステップＳ３１８に移行した場合は、被災情報選択部３０ｇにおいて、データ制御部３０ｂからの通知に基づき、不図示の第三者の端末からの出力要求を受信したか否かを判定し、受信したと判定した場合(Yes)は、ステップＳ３２０に移行し、そうでない場合(No)は、ステップＳ３００に移行する。
【００８５】
ステップＳ３２０に移行した場合は、被災情報選択部３０ｇにおいて、出力要求に含まれる指定被災者の固有情報（携帯通信端末２０の電話番号など）と災害の種類や被災エリアを示す情報とに基づき、これらの情報と対応する受信履歴情報の付加された被災情報を選択して、ステップＳ３２２に移行する。
ステップＳ３２２では、被災情報選択部３０ｇにおいて、ステップＳ３２０で選択した被災情報と、出力要求に含まれる指定被災者の固有情報とに基づき、指定被災者の被災情報が登録されているか否かを判定し、登録されていると判定した場合(Yes)は、選択した被災情報を被災提示情報生成部３０ｈに出力して、ステップＳ３２４に移行し、そうでない場合(No)は、指定被災者に対する位置検出指示を位置情報検出部３０ｊに出力すると共に、選択した被災情報を被災提示情報生成部３０ｈに出力して、ステップＳ３２８に移行する。
【００８６】
ステップＳ３２４に移行した場合は、被災提示情報生成部３０ｈにおいて、被災情報選択部３０ｇから取得した被災情報の受信時の位置毎の統計情報を生成し、この位置毎の統計情報と、指定被災者の被災情報（安否の情報など）と、指定被災者の緊急速報メールを受信時の位置情報とを被災エリアのマップ上に表示した、被災提示情報（被災マップ）を生成して、ステップＳ３２６に移行する。
【００８７】
ここで、統計情報は、各受信位置における被害状況の度合いとその人数などの情報となる。
ステップＳ３２６では、被災提示情報出力部３０ｉにおいて、ステップＳ３２４で生成した被災提示情報を、データ制御部３０ｂ及びデータ送受信部３０ａを介して、出力要求の送信元の第三者の端末に送信して、ステップＳ３００に移行する。
【００８８】
一方、ステップＳ３２２において、指定被災者の被災情報が登録されておらずにステップＳ３２８に移行した場合は、位置情報検出部３０ｊにおいて、出力要求に含まれる指定被災者の固有情報に基づき、指定被災者の管理下にある携帯通信端末２０の位置情報を検出し、該検出した位置情報を被災提示情報生成部３０ｈに出力して、ステップＳ３３０に移行する。
【００８９】
ステップＳ３３０では、被災提示情報生成部３０ｈにおいて、被災情報選択部３０ｇから取得した被災情報の受信時の位置毎の統計情報を生成し、この位置毎の統計情報と、指定被災者の携帯通信端末２０の位置情報とを被災エリアのマップ上に表示した、被災提示情報（以下、推定被災提示情報（推定被災マップ）と称す）を生成して、ステップＳ３２６に移行する。
【００９０】
ここで、検出した位置情報は、指定被災者の携帯通信端末２０が、ＧＰＳ機能を有していない又は使えない状態である場合は、ネットワーク５０を介してデータ通信可能に接続されたＨＬＲ、ＭＳＣ、ＳＧＳＮなどの位置管理機器の位置ログから検出した位置情報となり、携帯通信端末２０が緊急速報メールを受信した時の位置情報とは限らない。いずれにしても、最新の位置情報が被災マップ上に表示されることで、その安否などを推定することは可能である。
【００９１】
次に、図７〜図９に基づき、本実施の形態の実際の動作を説明する。
ここで、図７（ａ）は、被災エリアへの緊急速報メールの同報配信の様子を示す図であり、（ｂ）は、被災エリアと災害未発生エリアとの間の携帯通信端末の移動の様子を示す図である。また、図８は、被災情報の登録ページの一例を示す図である。また、図９は、被災マップの一例を示す図である。
【００９２】
あるエリアにおいて地震が発生すると、気象庁からの緊急地震速報や、国・地方公共団体からの災害・避難情報などが緊急速報配信サーバ１０に送られる。
緊急速報配信サーバ１０は、これらの情報を受信し、受信した情報を含む緊急速報メールを生成し、図７（ａ）に示すように、これを災害の発生した被災エリアに対応する通信エリアに存在する携帯通信端末２０_１〜２０_ｘ（ｘは、ｘ≦ｎの自然数）に同報配信する。
【００９３】
以下、利用者Ａの携帯通信端末２０_１を例に挙げて説明する。
利用者Ａの携帯通信端末２０_１が、データ送受信部２０ａにおいて緊急速報メールを受信すると（ステップＳ１００の「Ｙｅｓ」の分岐）、緊急速報メール処理部２０ｃにおいて、受信時の位置情報が取得される（ステップＳ１０２）。ここでは、携帯通信端末２０_１の存在するセルを担当する基地局４０_１から、Ｃｅｌｌ−ＩＤを取得することとする。なお、Ｃｅｌｌ−ＩＤが取得できない場合は、緊急速報メールに含まれるエリア情報を取得する。なお、本実施の形態においては、内部の時計機能を利用して、受信時の時刻情報も取得する。
【００９４】
緊急速報メール処理部２０ｃは、受信時の位置情報を取得すると、次に、緊急速報メールを受信したことを、利用者Ａに通知すべく、専用のポップアップ画面の表示指示をデータ制御部２０ｂを介して情報表示部２０ｆに出力し、専用のブザー音の出力指示をデータ制御部を介して音声出力部２０ｈに出力する（ステップＳ１０４）。これにより、携帯通信端末２０_１の表示部には、緊急速報メールを受信したことを示すメッセージがポップアップ表示され、更に、スピーカから専用のブザー音が出力される。
【００９５】
また、受信の通知と並行して、緊急速報メール処理部２０ｃは、受信した緊急速報メールから、発生した災害を識別する情報、災害の発生したエリアの情報などを抽出し、この抽出した情報と、取得した位置情報とに基づき、受信履歴情報を生成する（ステップＳ１０６）。そして、生成した受信履歴情報を、受信履歴情報記憶部２０ｄに記憶する（ステップＳ１０８）。
【００９６】
一方、登録催促動作実行部２０ｇは、緊急速報メールを受信したことを検出すると（ステップＳ２００の「Ｙｅｓ」の分岐）、ここでは、携帯電話番号の下一桁×１０[分]を算出し、緊急速報メールを受信してから、算出した時間が経過するまでのタイミングの監視を開始する（ステップＳ２０２）。例えば、０９０−ＸＸＸＸ−ＸＸ５３であれば、３×１０＝３０[分]と算出され、受信時刻からこの時間が経過するタイミングを監視する。
【００９７】
なお、利用者Ａが自主的に被災情報の登録を行った場合は、そのことを検出して、登録催促動作が実行されないように制御してもよい。この場合は、被災情報を登録したときに、登録履歴情報を生成して、それを記憶保持する。
登録催促動作実行部２０ｇにおいて、特定のタイミングが検出されると（ステップＳ２０４の「Ｙｅｓ」の分岐）、受信通知時と同様に、専用のポップアップ画面の表示指示をデータ制御部２０ｂを介して情報表示部２０ｆに出力し、専用のブザー音の出力指示をデータ制御部２０ｂを介して音声出力部２０ｈに出力する（ステップＳ２０６）。これにより、携帯通信端末２０_１の表示部には、被災情報の登録を促すメッセージがポップアップ表示され、更に、スピーカから専用のブザー音が出力される。このとき、画面上には、登録ページへのリンク情報が表示される。
【００９８】
ここで、図７（ｂ）に示す携帯通信端末２０_２のように、災害の発生時には災害未発生エリアに存在し、災害が発生後に被災エリアに移動した端末に対しては、緊急速報メールが配信されていないので、被災情報の登録を催促する動作は実行されない。一方、携帯通信端末２０_１のように、災害の発生時に被災エリアに存在し、緊急速報メールを受信後に災害未発生エリアに移動した端末に対しては、特定のタイミングにおいて被災情報の登録を催促する動作が実行される。
【００９９】
そして、この登録の催促を受けた利用者Ａがネット登録サービスを利用して被災情報の登録を行う場合は、まず、操作部を操作して、表示されたリンク情報を選択する。これにより、被災情報登録部２０ｅは、登録指示が入力されたと判定し（ステップＳ１１０の「Ｙｅｓ」の分岐）、リンクページへのアクセス情報を、データ制御部２０ｂ及びデータ送受信部２０ａを介して、登録ページを提供している被災提示情報生成サーバ３０に送信する（ステップＳ１１２）。
【０１００】
一方、被災提示情報生成サーバ３０は、被災情報登録部３０ｅにおいて、データ送受信部３０ａ及びデータ制御部３０ｂを介して、携帯通信端末２０_１からの登録要求（アクセス情報）を受信すると（ステップＳ３０６の「Ｙｅｓ」の分岐）、通信回線の状態などを検出し、登録受付が可能と判断したら（ステップＳ３０８の「Ｙｅｓ」の分岐）、登録許可応答（登録ページ情報）を、データ送受信部３０ａ及びデータ制御部３０ｂを介して、携帯通信端末２０_１に送信する（ステップＳ３１０）。
【０１０１】
携帯通信端末２０_１は、被災情報登録部２０ｅにおいて、データ送受信部２０ａ及びデータ制御部２０ｂを介して、登録許可応答を受信すると（ステップＳ１１４の「Ｙｅｓ」の分岐）、情報表示部２０ｆに、登録ページを表示させる。
この登録ページは、例えば、図８に示すような画面となる。同図に示すように、利用者Ａ自身の被害状況の項目と、周辺の道路や建物などの被害状況の項目とがある。また、図８中の各項目の下には「無事です」、「被害があります」、「被害が甚大でした」、「被害が小でした」などの、被害の程度を示す選択候補文が表示される。なお、選択候補文の横にある□は、チェックボックスであり、利用者Ａは、操作部を操作して、選択候補文の横にある□をチェックすることで、登録する被災情報を選択（入力）する（ステップＳ１１６）。
【０１０２】
このようにして被災情報の登録を行ない、登録が終了すると（ステップＳ１１８の「Ｙｅｓ」の分岐）、次に、被災情報登録部２０ｅは、受信履歴情報記憶部２０ｄに記憶された受信履歴情報と、被災情報を登録中の災害とを比較して、この災害についての緊急速報メールの受信履歴があるか否かを判定する（ステップＳ１２０）。ここでは、登録の催促動作に従って登録を行っているので、当然受信履歴情報はあり（ステップＳ１２０の「Ｙｅｓ」の分岐）、被災情報登録部２０ｅは、被災情報と共に受信履歴情報を、データ制御部２０ｂ及びデータ送受信部２０ａを介して、被災提示情報生成サーバ３０に送信する（ステップＳ１２２）。
【０１０３】
被災提示情報生成サーバ３０は、被災情報と共に受信履歴情報を受信すると（ステップＳ３１２の「Ｙｅｓ」の分岐）、被災情報登録部３０ｅにおいて、受信した被災情報を、これと共に受信した受信履歴情報と対応付けて、被災情報記憶部３０ｆに記憶する（ステップＳ３１４）。
また、利用者Ａの家族や知人などの第三者が、利用者Ａの安否を気遣って、その管理下にある端末を用いて、被災提示情報の出力要求を、被災提示情報生成サーバ３０に送信したとする。この出力要求には、指定被災者である利用者Ａの固有情報として携帯通信端末２０_１の電話番号と、災害の種類を示す情報とが含まれている。
【０１０４】
被災提示情報生成サーバ３０は、データ制御部３０ｂを介して、被災情報選択部３０ｇにおいて、出力要求を受信したことを検出すると（ステップＳ３１８の「Ｙｅｓ」の分岐）、受信した出力要求に基づき、被災情報記憶部３０ｆに記憶された、指定された災害の種類に対応する被災情報の中から、受信履歴情報が対応付けられている被災情報を選択する（ステップＳ３２０）。次に、この選択した受信履歴情報の対応付けられた被災情報と、出力要求に含まれる利用者Ａの固有情報とに基づき、選択された被災情報の中に利用者Ａの登録した被災情報が含まれているか否かを判定する（ステップＳ３２２）。
【０１０５】
利用者Ａの登録した被災情報が含まれている場合（ステップＳ３２２の「Ｙｅｓ」の分岐）は、その被災情報に対応付けられた受信履歴情報から、緊急速報メールを受信時の携帯通信端末２０_１の位置情報が得られる。従って、被災提示情報生成部３０ｈは、選択された被災情報とその位置情報とから、位置情報毎の統計情報を生成する。例えば、各位置における複数人の被災情報から、例えば、被害大が５人、被害中が２人の場合は、その位置は被害大とする。このようにして、各位置の被害状況を示す統計情報を生成し、図９に示すように、これらを被災エリアを含むマップ上の各対応する位置に表示し、携帯通信端末２０_１の受信時の位置情報を表示した被災マップを生成する（ステップＳ３２４）。図９に示す例では、被災エリアが複数有り、利用者Ａの位置情報としては、複数の被災エリアのうちどのエリアに利用者Ａが在圏しているかが示されている。
【０１０６】
このようにして生成された被災提示情報は、データ制御部３０ｂ及びデータ送受信部３０ａを介して、出力要求の送信元の第三者の端末に送信される。
第三者の端末では、被災提示情報生成サーバ３０から受信した被災提示情報を、プリントアウトしたり、ディスプレイに表示したりして、第三者に内容が確認できるように出力する。これにより、第三者は被災提示情報の内容を確認し、利用者Ａの安否を判断する。
【０１０７】
一方、選択された被災情報の中に利用者Ａの登録した被災情報が含まれていない場合（ステップＳ３２２の「Ｎｏ」の分岐）は、携帯通信端末２０_１の携帯電話番号と共に、位置情報の検出指示を位置情報検出部３０ｊに出力する。これにより、位置情報検出部３０ｊは、携帯電話番号を検索キーとして、ネットワーク５０を介して接続されたＨＬＲ、ＭＳＣ、ＳＧＳＮなどの位置管理機器の位置ログから位置情報を検出する（ステップＳ３２８）。
【０１０８】
従って、被災提示情報生成部３０ｈは、選択された被災情報と、その位置情報と、検出した位置情報とから、位置情報毎の統計情報を生成する。そして生成した情報を、被災エリアを含むマップ上の各対応する位置に表示し、更に検出した位置情報を表示した推定被災マップを生成する（ステップＳ３３０）。
この場合は、利用者Ａが緊急速報メールを受信時の被災エリアから出ていなければ、受信時と同じＣｅｌｌ−ＩＤを取得できる可能性が高く、その場合は、被災情報を登録した場合の被災マップと同じ内容の推定被災マップが生成される。一方、利用者Ａが緊急速報メールを受信時の被災エリアから出ていた場合は、現在存在するエリアのＣｅｌｌ−ＩＤ情報が位置情報として検出される。この場合は、災害未発生エリアにいれば、利用者Ａは安全な場所にいることが解り、また、別の被災エリアにいれば、そのエリアの被災情報から利用者Ａの安否を推定することができる。
【０１０９】
以上、本実施の形態の被災提示情報提供システム１によれば、携帯通信端末２０において、緊急速報配信サーバ１０から同報配信される緊急速報メールを受信したときに、緊急速報メール処理部２０ｃにおいて、受信したメールに対応する災害の種類などを識別する情報と、受信時の携帯通信端末２０の位置情報とを含む受信履歴情報を生成し、これを受信履歴情報記憶部２０ｄに記憶することができる。
【０１１０】
更に、被災情報を被災提示情報生成サーバ３０に登録するときに、登録対象の災害の種類に対応する受信履歴情報が受信履歴情報記憶部２０ｄにある場合は、被災情報に加えて受信履歴情報も被災提示情報生成サーバ３０に登録することができる。
更に、携帯通信端末２０は、緊急速報メールを受信したときに、登録催促動作実行部２０ｇにおいて、受信後の特定のタイミングに、利用者に対して被災情報の登録を催促する動作を実行することができる。
【０１１１】
これにより、被災情報を登録していない利用者に対して、登録を促すことができると共に、ランダムなタイミングなどの特定のタイミングで登録を促すことで、一斉に登録が行われるような事態を避けることができ、通信回線の輻輳を回避することができる。
一方、被災提示情報生成サーバ３０は、携帯通信端末２０から、受信履歴情報が付加された被災情報を受信したときは、被災情報登録部３０ｅにおいて、この被災情報を、受信履歴情報に対応付けて被災情報記憶部３０ｆに記憶することができる。
【０１１２】
更に、被災提示情報生成サーバ３０は、第三者の端末から、指定被災者に対する被災提示情報の出力要求を受信したときに、まず、被災情報選択部３０ｇにおいて、被災情報記憶部３０ｆに記憶された、出力要求に対応する被災情報のうち、受信履歴情報の対応付けられた被災情報のみを選択することができる。そして、選択した被災情報の中に、指定被災者の登録した被災情報がある場合は、被災提示情報生成部３０ｈにおいて、選択した被災情報に基づき、その受信履歴情報に含まれる受信位置毎の被災情報の統計情報と、指定被災者の位置情報とをマップ上に表示した構成の被災マップを生成することができる。
【０１１３】
これにより、災害の発生時に、実際に被災エリアにいた利用者によって登録された被災情報のみを用いて、被災提示情報を生成することができるので、信頼性の高い被災提示情報を得ることができる。
また、選択した被災情報の中に、指定被災者の登録した被災情報がない場合は、位置情報検出部３０ｊによって、指定被災者の管理下にある携帯通信端末の位置情報を検出することができる。そして、被災提示情報生成部３０ｈにおいて、選択した被災情報に基づき、その受信履歴情報に含まれる受信位置毎の被災情報の統計情報と、指定被災者の検出した位置情報とをマップ上に表示した構成の推定被災マップを生成することができる。
【０１１４】
これにより、災害の発生時に、実際に被災エリアにいた利用者によって登録された被災情報のみを用いて、被災提示情報を生成することができることに加え、指定被災者の安否を推定できる被災提示情報を得ることができる。
上記第１の実施の形態において、被災提示情報生成サーバ３０は、発明１、３、４、５及び６のいずれか１に記載の被災提示情報生成装置に対応し、被災情報選択部３０ｇは、発明１又は６に記載の被災情報選択手段に対応し、被災提示情報生成部３０ｈは、発明１、３、４、５及び６のいずれか１に記載の被災提示情報生成手段に対応し、データ送受信部３０ａ及びデータ制御部３０ｂによる第三者の端末からの出力要求の受信処理は、発明４又は５に記載の出力要求受信手段に対応し、被災提示情報出力部３０ｉは、発明４に記載の被災提示情報出力手段に対応し、被災情報選択部３０ｇにおける、指定被災者の登録有無を判定する処理は、発明５に記載の登録有無判定手段に対応し、位置情報検出部３０ｊは、発明５に記載の位置情報検出手段に対応する。
【０１１５】
〔第２の実施の形態〕
次に、本発明の第２の実施の形態を図面に基づき説明する。図１０〜図１２は、本発明に係る被災提示情報生成装置、被災提示情報生成方法、携帯通信端末及び被災情報登録方法の第２の実施の形態を示す図である。
【０１１６】
上記第１の実施の形態においては、受信履歴情報の対応付けられた被災情報を選択して、この選択した被災情報のみを用いて被災提示情報を生成することで、緊急速報メールを受信した携帯通信端末２０の登録情報のみから被災提示情報を生成するようにした。
これに対して、本実施の形態は、被災提示情報生成サーバ３０において、被災情報の登録時に、緊急速報メールを受信している携帯通信端末２０からの、その受信メールに対応する被災情報の登録を受け付け、受信していない携帯通信端末２０からの登録を拒絶するように制御する。これにより、被災情報記憶部３０ｆに、受信履歴情報を有する被災情報のみを記憶するようにし、この記憶情報から被災提示情報を生成することで、緊急速報メールを受信した携帯通信端末２０の登録情報のみから被災提示情報を生成するようにした。以下、上記第１の実施の形態と共通する部分は同じ符号を付して説明を適宜省略し、異なった部分を詳細に説明する。
【０１１７】
まず、図１０に基づき、本実施の形態の被災提示情報生成サーバ３０’の詳細な構成を説明する。
ここで、図１０は、被災提示情報生成サーバ３０’の構成を示すブロック図である。
本実施の形態の被災提示情報生成サーバ３０’は、データ送受信部３０ａと、データ制御部３０ｂと、速報情報取得部３０ｃと、速報情報記憶部３０ｄと、被災情報登録部３０ｅと、被災情報記憶部３０ｆと、被災提示情報生成部３０ｈと、被災提示情報出力部３０ｉと、位置情報検出部３０ｊと、登録制御部３０ｋとを含んで構成される。
【０１１８】
つまり、上記第１の実施の形態における被災提示情報生成サーバ３０における、被災情報選択部３０ｇに代えて、登録制御部３０ｋが加わった構成となる。
登録制御部３０ｋは、携帯通信端末２０から被災情報の登録要求を受信したときに、その送信元の携帯通信端末２０から、登録対象の災害に対応する受信履歴情報を取得し、該取得結果と、速報情報記憶部３０ｄの記憶内容とに基づき、送信元の携帯通信端末２０の利用者の被災情報の登録の適格性を判定する機能を有している。
【０１１９】
被災情報登録部３０ｅは、登録制御部３０ｋの判定結果に基づき、適格であると判定されたときは、その利用者の携帯通信端末２０からの被災情報の登録を受け付け、不適格と判定されたときは、その利用者の携帯通信端末２０からの被災情報の登録を拒絶する。
速報情報取得部３０ｃは、登録期限の過ぎた速報情報を、速報情報記憶部３０ｄから削除する機能を有している。ここで、登録期限は、例えば、災害発生から１週間など、被災情報が不要となるまでの期間となる。
【０１２０】
更に、本実施の形態における被災提示情報生成部３０ｈは、被災情報記憶部３０ｆから出力要求に対応する被災情報を取得する処理と、取得した被災情報の中に、指定被災者によって登録された被災情報があるか否かを判定する処理と、登録されていないと判定したときに、位置情報の検出指示を位置情報検出部３０ｊに出力する処理も行う。
次に、図１１に基づき、被災提示情報生成サーバ３０’の被災提示情報の生成に係る動作処理の流れを説明する。
【０１２１】
ここで、図１１は、被災提示情報生成サーバ３０’の被災提示情報の生成に係る動作処理を示すフローチャートである。
なお、ステップＳ４００〜Ｓ４０６は、上記第１の実施の形態におけるステップＳ３００〜Ｓ３０６と同様の処理となるので、以下、ステップＳ４０８から説明する。
ステップＳ４０８では、登録制御部３０ｋにおいて、通信回線の混雑度などに基づき、被災情報の登録処理を受付可能か否かを判定し、受付可能であると判定した場合(Yes)は、ステップＳ４１０に移行し、そうでない場合(No)は、ステップＳ４２０に移行する。
【０１２２】
ステップＳ４１０に移行した場合は、登録制御部３０ｋにおいて、登録適格性判定処理を実行して利用者の登録適格性を判定し、その判定結果を被災情報登録部３０ｅに出力して、ステップＳ４１２に移行する。
ステップＳ４１２では、被災情報登録部３０ｅにおいて、ステップＳ４１０の判定結果に基づき、適格性ありと判定されたか否かを判定し、適格性ありと判定された場合(Yes)は、ステップＳ４１４に移行し、そうでない場合(No)は、ステップＳ４２０に移行する。
【０１２３】
ステップＳ４１４に移行した場合は、被災情報登録部３０ｅにおいて、登録許可の応答を、データ制御部３０ｂ及びデータ送受信部３０ａを介して、登録要求の送信元の携帯通信端末２０に送信して、ステップＳ４１６に移行する。
一方、ステップＳ４２０に移行した場合は、被災情報登録部３０ｅにおいて、登録不許可の応答を、データ制御部３０ｂ及びデータ送受信部３０ａを介して、登録要求の送信元の携帯通信端末２０に送信して、ステップＳ４００に移行する。
【０１２４】
ここで、ステップＳ４１６〜Ｓ４１８、ステップＳ４２２〜Ｓ４３４は、上記第１の実施の形態のステップＳ３１２〜Ｓ３１４、ステップＳ３１８〜Ｓ３２６と同様の処理となるので記載を省略する。
【０１２５】
次に、図１２に基づき、ステップＳ４１０の登録制御部３０ｋにおける登録適格性判定処理の流れを説明する。
ここで、図１２は、登録制御部３０ｋにおける登録適格性判定処理を示すフローチャートである。
ステップＳ４１０において、登録適格性判定処理が開始されると、まず、ステップＳ５００に移行し、登録制御部３０ｋにおいて、登録要求に対応する受信履歴情報の取得要求を、データ制御部３０ｂ及びデータ送受信部３０ａを介して、登録要求の送信元の携帯通信端末２０に送信して、ステップＳ５０２に移行する。
【０１２６】
ステップＳ５０２では、登録制御部３０ｋにおいて、携帯通信端末２０からの受信履歴情報を受信したか否かを判定し、受信したと判定した場合(Yes)は、ステップＳ５０４に移行し、対応する受信履歴情報が無い旨を示す情報を受信した場合(No)は、ステップＳ５１０に移行する。
ステップＳ５０４に移行した場合は、登録制御部３０ｋにおいて、受信した受信履歴情報と、速報情報記憶手段に記憶された速報情報とを比較して、ステップＳ５０６に移行する。
【０１２７】
ステップＳ５０６では、登録制御部３０ｋにおいて、ステップＳ５０４の比較結果に基づき、登録要求に対応する受信履歴情報の災害が、被災情報の登録を行うことが可能な災害か否かを判定し、速報情報に合致するものがあり登録可能であると判定した場合(Yes)は、ステップＳ５０８に移行し、そうでない場合(No)は、ステップＳ５１０に移行する。
ステップＳ５０８に移行した場合は、登録制御部３０ｋにおいて、登録要求の送信元の携帯通信端末２０の利用者は適格と判定し、この判定結果を被災情報登録部３０ｅに出力して、一連の処理を終了し元の処理に復帰する。
【０１２８】
一方、ステップＳ５１０に移行した場合は、登録制御部３０ｋにおいて、登録要求の送信元の携帯通信端末２０に登録要求に対応する受信履歴情報がなく、利用者は不適格であると判定し、この判定結果を被災情報登録部３０ｅに出力して、一連の処理を終了し元の処理に復帰する。
【０１２９】
次に、本実施の形態の実際の動作を説明する。
以下、被災情報の登録処理に移行するまでの処理を説明する。上記第１の実施の形態と同様に、利用者Ａの管理下にある携帯通信端末２０_１からの登録要求を受信したこととする。
被災提示情報生成サーバ３０は、登録制御部３０ｋにおいて、データ送受信部３０ａ及びデータ制御部３０ｂを介して、携帯通信端末２０_１からの登録要求（アクセス情報）を受信すると（ステップＳ４０６の「Ｙｅｓ」の分岐）、通信回線の状態などを検出し、登録受付が可能と判断したら（ステップＳ４０８の「Ｙｅｓ」の分岐）、次に、利用者Ａの登録適格性判定処理を実行する（ステップＳ４１０）。
【０１３０】
登録適格性判定処理が開始されると、登録制御部３０ｋは、まず登録要求に対応する災害の種類に対応した受信履歴情報の取得要求を、データ送受信部３０ａ及びデータ制御部３０ｂを介して、携帯通信端末２０_１に送信する（ステップＳ５００）。
一方、携帯通信端末２０_１は、被災情報登録部２０ｅにおいて、データ送受信部２０ａ及びデータ制御部２０ｂを介して、受信履歴情報の取得要求を受信すると、受信履歴情報記憶部２０ｄを検索して、登録要求に対応する災害の種類に対する受信履歴情報が記憶されていた場合は、その受信履歴情報を被災提示情報生成サーバ３０に送信する。一方、受信履歴情報が記憶されていなかった場合は、その旨を示す情報を被災提示情報生成サーバ３０に送信する。
【０１３１】
被災提示情報生成サーバ３０は、登録制御部３０ｋにおいて、登録要求に対応する受信履歴情報を受信すると（ステップＳ５０２の「Ｙｅｓ」の分岐）、この受信履歴情報と、速報情報記憶部３０ｄに記憶された速報情報とを比較し（ステップＳ５０４）、この比較結果から、速報情報の災害の種類と受信履歴情報の災害の種類とが合致するものがあるときは（ステップＳ５０６の「Ｙｅｓ」の分岐）、利用者Ａを登録適格を有すると判定し（ステップＳ５０８）、この判定結果を、被災情報登録部３０ｅに出力する。
【０１３２】
一方、登録要求に対応する受信履歴情報が無い旨を示す情報を受信するか（ステップＳ５０２の「Ｎｏ」の分岐）、速報情報の災害の種類と受信履歴情報の災害の種類とが合致するものがないときは（ステップＳ５０６の「Ｎｏ」の分岐）、利用者Ａを登録適格を有さない（不適格）と判定し（ステップＳ５１０）、この判定結果を、被災情報登録部３０ｅに出力する。
【０１３３】
被災情報登録部３０ｅは、登録制御部３０ｋから、「適格」の判定結果を取得した場合は（ステップＳ４１２の「Ｙｅｓ」の分岐）、登録許可応答（登録ページ情報）を、データ送受信部３０ａ及びデータ制御部３０ｂを介して、携帯通信端末２０_１に送信する（ステップＳ４１４）。一方、登録制御部３０ｋから、「不適格」の判定結果を取得した場合は（ステップＳ４１２の「Ｎｏ」の分岐）、登録不許可応答を、データ送受信部３０ａ及びデータ制御部３０ｂを介して、携帯通信端末２０_１に送信する（ステップＳ４２０）。
【０１３４】
以降の動作は、上記第１の実施の形態と同様となるので記載を省略する。
以上、本実施の形態の被災提示情報提供システム１によれば、被災提示情報生成サーバ３０’において、携帯通信端末２０からの被災情報の登録要求があったときに、登録制御部３０ｋにおいて、この携帯通信端末２０が登録要求に対応する受信履歴情報を有しているか否かを判定することで、携帯通信端末２０の利用者の登録適格性を判定することができる。
【０１３５】
更に、被災情報登録部３０ｅは、登録制御部３０ｋの判定結果に基づき、適格と判定された携帯通信端末２０からの登録を許可し、不適格と判定された携帯通信端末２０からの登録を拒絶することができる。
これにより、受信履歴情報を有する携帯通信端末２０からの被災情報のみが、被災提示情報生成サーバ３０’に登録され、被災情報記憶部３０ｆに記憶されることになる。従って、災害の発生時に、実際に被災エリアにいた利用者によって登録された被災情報のみを用いて、被災提示情報を生成することができるので、信頼性の高い被災提示情報を得ることができる。
【０１３６】
上記第２の実施の形態において、被災提示情報生成サーバ３０’は、発明２、３、４、５及び７のいずれか１に記載の被災提示情報生成装置に対応し、登録制御部３０ｋは、発明２又は７に記載の受信履歴情報取得手段、適格性判定手段及び登録受付制御手段に対応し、被災提示情報生成部３０ｈは、発明２、３、４、５及び７のいずれか１に記載の被災提示情報生成手段に対応し、データ送受信部３０ａ及びデータ制御部３０ｂによる第三者の端末からの出力要求の受信処理は、発明４又は５に記載の出力要求受信手段に対応し、被災提示情報出力部３０ｉは、発明４に記載の被災提示情報出力手段に対応し、被災情報選択部３０ｇにおける、指定被災者の登録有無を判定する処理は、発明５に記載の登録有無判定手段に対応し、位置情報検出部３０ｊは、発明５に記載の位置情報検出手段に対応する。
【０１３７】
〔第３の実施の形態〕
次に、本発明の第３の実施の形態を図面に基づき説明する。図１３〜図１４は、本発明に係る被災提示情報生成装置、被災提示情報生成方法、携帯通信端末及び被災情報登録方法の第３の実施の形態を示す図である。
【０１３８】
上記第１及び第２の実施の形態においては、被災提示情報生成サーバ３０において、緊急速報メールを受信した携帯通信端末２０の登録情報のみから被災提示情報を生成するようにした。これに対して、本実施の形態では、携帯通信端末２０側で、被災情報の登録を行う登録対象の災害に対応する受信履歴情報の有無を判定し、対応する受信履歴情報を有していれば、被災提示情報生成サーバ３０への登録要求の送信を許可し、対応する受信履歴情報を有していなければ登録要求の送信を拒絶するようにした。これにより、被災情報記憶部３０ｆに、受信履歴情報を有する被災情報のみを記憶するようにし、この記憶情報から被災提示情報を生成することで、緊急速報メールを受信した携帯通信端末２０の登録情報のみから被災提示情報を生成するようにした。以下、上記第１及び第２の実施の形態と共通する部分は同じ符号を付して説明を適宜省略し、異なった部分を詳細に説明する。
【０１３９】
まず、図１３に基づき、本実施の形態の携帯通信端末２０’の詳細な構成を説明する。ここで、図１３は、携帯通信端末２０’の詳細な構成を示すブロック図である。
携帯通信端末２０’は、図１３に示すように、データ送受信部２０ａと、データ制御部２０ｂと、緊急速報メール処理部２０ｃと、受信履歴情報記憶部２０ｄと、被災情報登録部２０ｅと、情報表示部２０ｆと、登録催促動作実行部２０ｇと、音声出力部２０ｈと、被災情報登録制御部２０ｉとを含んで構成される。
【０１４０】
つまり、上記第１の実施の形態における携帯通信端末２０に、被災情報登録制御部２０ｉが追加された構成となる。
この被災情報登録制御部２０ｉは、利用者の操作部の操作によって被災情報の登録要求の送信指示が入力されたときに、受信履歴情報記憶部２０ｄに、登録要求に対応する受信履歴情報が記憶されているか否かを判定し、記憶されているときは送信許可の指示を被災情報登録部２０ｅに出力し、記憶されていないときは送信不許可の指示を被災情報登録部２０ｅに出力する。
【０１４１】
被災情報登録部２０ｅは、被災情報登録制御部２０ｉから、送信許可の指示を取得したときは、入力された送信指示に対応する登録要求を、被災提示情報生成サーバ３０に送信し、一方、送信不許可の指示を取得したときは、入力された送信指示に対応する登録要求の送信を行わずに、送信不許可のメッセージを情報表示部２０ｆに表示させる。
なお、携帯通信端末が全て、上記構成の携帯通信端末２０’でシステムが構成されている場合は、被災提示情報生成サーバ３０から、被災情報選択部３０ｇを取り除くことが可能である。一方、携帯通信端末２０’と上記第１の実施の形態の携帯通信端末２０とが混在する場合は、被災情報選択部３０ｇをそのまま残しておく必要がある。いずれの構成であっても動作に矛盾は生じない。
【０１４２】
被災情報選択部３０ｇを取り除いた場合に、被災提示情報生成部３０ｈは、データ制御部３０ｂを介して受信した被災提示情報の出力要求に応じて、被災情報記憶部３０ｆから、出力要求に対応する被災情報を取得し、該取得した被災情報に基づき、被災提示情報を生成する。更に、被災情報記憶部３０ｆから出力要求に対応する被災情報を取得する処理と、取得した被災情報の中に、指定被災者によって登録された被災情報があるか否かを判定する処理と、登録されていないと判定したときに、位置情報の検出指示を位置情報検出部３０ｊに出力する処理も行う。
【０１４３】
次に、図１４に基づき、携帯通信端末２０’の被災情報の登録に係る動作処理の流れを説明する。
ここで、図１４は、携帯通信端末２０’の被災情報の登録に係る動作処理を示すフローチャートである。
ここで、ステップＳ６００〜Ｓ６０８の処理は、上記第１の実施の形態のステップＳ１００〜Ｓ１０８の処理と同様となるので記載を省略する。
【０１４４】
以下、ステップＳ６１０の処理から説明する。
ステップＳ６１０に移行した場合は、被災情報登録制御部２０ｉにおいて、データ制御部２０ｂを介して、操作部を介した登録要求の送信指示が入力されたか否かを判定し、入力されたと判定した場合(Yes)は、ステップＳ６１２に移行し、そうでない場合(No)は、ステップＳ６００に移行する。
【０１４５】
ステップＳ６１２に移行した場合は、被災情報登録制御部２０ｉにおいて、登録指示内容（少なくとも登録対象の災害の種類の情報を含む）と、受信履歴情報記憶部２０ｄに記憶された受信履歴情報とを比較して、ステップＳ６１４に移行する。
ステップＳ６１４では、被災情報登録制御部２０ｉにおいて、ステップＳ６１２の比較結果に基づき、受信履歴情報記憶部２０ｄに記憶された受信履歴情報の中に登録指示に対応したものがあるか否かを判定し、あると判定した場合(Yes)は、ステップＳ６１６に移行し、そうでない場合(No)は、ステップＳ６３０に移行する。
【０１４６】
ステップＳ６１６に移行した場合は、被災情報登録制御部２０ｉにおいて、ステップＳ６１０の登録指示に対する送信許可の指示を被災情報登録部２０ｅに出力して、ステップＳ６１８に移行する。
ステップＳ６１８では、被災情報登録部２０ｅにおいて、ステップＳ６１０で入力された登録指示に応じて、被災情報の登録要求を、データ制御部２０ｂ及びデータ送受信部２０ａを介して、被災提示情報生成サーバ３０に送信し、ステップＳ６２０に移行する。
【０１４７】
一方、ステップＳ６１４において受信履歴情報記憶部２０ｄに記憶された受信履歴情報の中に登録指示に対応したものがなくてステップＳ６３０に移行した場合は、ステップＳ６１０の登録指示に対する送信不許可の指示を被災情報登録部２０ｅに出力して、ステップＳ６３２に移行する。
ステップＳ６３２では、被災情報登録部２０ｅにおいて、ステップＳ６１０で入力された登録指示に対して、登録要求の送信をせずに、送信不許可を示すメッセージの表示指示を、データ制御部２０ｂを介して情報表示部２０ｆに出力して、ステップＳ６００に移行する。これにより、被災提示情報生成サーバ３０に登録要求が送信されずに、表示部には、送信不許可のメッセージが表示される。
【０１４８】
次に、本実施の形態の実施の動作を説明する。
以下、携帯通信端末２０_１による被災情報の登録動作から説明する。上記第１の実施の形態と同様に、利用者Ａの管理下にある携帯通信端末２０_１を例に挙げて説明する。
利用者Ａがネット登録サービスを利用して被災情報の登録を行う場合は、まず、操作部を操作して、ネット登録ページにアクセスしトップページを表示する。そして、このトップページに表示された各災害の被災情報の登録ページのリンク情報の中から登録を希望する災害のリンク情報を選択する。これにより、被災情報登録制御部２０ｉは、登録指示が入力されたと判定し（ステップＳ６１０の「Ｙｅｓ」の分岐）、受信履歴情報記憶部２０ｄに記憶された受信履歴情報に含まれる災害の種類情報と、登録指示に対応した災害の種類情報とを比較し（ステップＳ６１２）、この比較結果から、受信履歴情報記憶部２０ｄに登録指示の災害種類に対応した受信履歴情報が記憶されていた場合に（ステップＳ６１４の「Ｙｅｓ」の分岐）、登録要求の送信許可の指示を、被災情報登録部２０ｅに出力する（ステップＳ６１６）。
【０１４９】
これにより、被災情報登録部２０ｅは、登録指示に対応する登録要求を、データ制御部２０ｂ及びデータ送受信部２０ａを介して、被災提示情報生成サーバ３０に送信する（ステップＳ６１８）。
一方、被災提示情報生成サーバ３０は、被災情報登録部３０ｅにおいて、データ送受信部３０ａ及びデータ制御部３０ｂを介して、携帯通信端末２０_１からの登録要求（アクセス情報）を受信すると（ステップＳ３０６の「Ｙｅｓ」の分岐）、通信回線の状態などを検出し、登録受付が可能と判断したら（ステップＳ３０８の「Ｙｅｓ」の分岐）、登録許可応答（登録ページ情報）を、データ送受信部３０ａ及びデータ制御部３０ｂを介して、携帯通信端末２０_１に送信する（ステップＳ３１０）。
【０１５０】
携帯通信端末２０_１は、被災情報登録部２０ｅにおいて、データ送受信部２０ａ及びデータ制御部２０ｂを介して、登録許可応答を受信すると（ステップＳ６２０の「Ｙｅｓ」の分岐）、情報表示部２０ｆに、登録ページを表示させる。
そして、登録ページにおいて被災情報の登録を行ない（ステップＳ６２２）、登録が終了すると（ステップＳ６２４の「Ｙｅｓ」の分岐）、被災情報登録部２０ｅは、受信履歴情報記憶部２０ｄに記憶された受信履歴情報から、登録指示（チェックボックスをチェック）した被災情報の災害種類に対応する受信履歴情報を取得し、登録指示した被災情報と共に受信履歴情報を、データ制御部２０ｂ及びデータ送受信部２０ａを介して、被災提示情報生成サーバ３０に送信する（ステップＳ６２６）。
【０１５１】
被災提示情報生成サーバ３０は、被災情報と共に受信履歴情報を受信すると（ステップＳ３１２の「Ｙｅｓ」の分岐）、被災情報登録部３０ｅにおいて、受信した被災情報を、これと共に受信した受信履歴情報と対応付けて、被災情報記憶部３０ｆに記憶する（ステップＳ３１４）。
一方、受信履歴情報記憶部２０ｄに登録指示の災害種類に対応した受信履歴情報が記憶されていなかった場合に（ステップＳ６１４の「Ｎｏ」の分岐）、登録要求の送信不許可の指示を、被災情報登録部２０ｅに出力する（ステップＳ６３０）。
【０１５２】
これにより、被災情報登録部２０ｅは、登録指示に対応する登録要求を送信せずに、登録不許可を示すメッセージの表示指示を、データ制御部２０ｂを介して情報表示部２０ｆに出力する（ステップＳ６３２）。これにより、登録不許可を示すメッセージが表示部に表示され、登録できないことが利用者Ａに通知される。
以上、本実施の形態の被災提示情報提供システム１は、携帯通信端末２０’において、緊急速報メールを受信した災害種類に対する被災情報の登録を許可し、緊急速報メールを受信していない災害種類の被災情報の登録を許可しないように、被災情報登録部２０ｅの登録要求の送信処理を制御することができる。
【０１５３】
これにより、被災情報を登録できる端末を、携帯通信端末２０’だけで構成した場合に、被災提示情報生成サーバ３０の被災情報記憶部３０ｆには、必ず緊急速報メールを受信した携帯通信端末からの被災情報だけが記憶されるようになる。
従って、災害の発生時に、実際に被災エリアにいた利用者によって登録された被災情報のみを用いて、被災提示情報を生成することができるので、信頼性の高い被災提示情報を得ることができる。
【０１５４】
また、被災情報を登録できる端末として、上記第１の実施の形態の携帯通信端末２０と、本実施の形態の携帯通信端末２０’とを両方適用した場合は、上記第１の実施の形態の被災提示情報生成サーバ３０を適用してシステムを構築することで、信頼性の高い被災提示情報が得られることに加え、携帯通信端末２０’の分だけ、被災提示情報生成サーバ３０における被災情報の記憶量を低減させることができる。
【０１５５】
上記第３の実施の形態において、緊急速報メール処理部２０ｃの緊急速報メールを受信時の位置情報の取得処理は、発明８又は１０に記載の位置情報取得手段に対応し、緊急速報メール処理部２０ｃ及び受信履歴情報記憶部２０ｄは、発明８又は１０に記載の受信履歴情報記憶手段に対応し、被災情報登録部２０ｅ、データ制御部２０ｂ及びデータ送受信部２０ａによる被災情報の登録要求の送信処理は、発明８又は１０に記載の登録要求送信手段に対応し、被災情報登録制御部２０ｉは、登録要求送信制御手段に対応し、被災情報登録部２０ｅは、発明８又は１０に記載の被災情報登録手段に対応し、登録催促動作実行部２０ｇは、発明９に記載の登録催促動作実行手段に対応する。
【０１５６】
なお、上記第１〜第３の実施の形態において、被災提示情報生成サーバ３０又は３０’に被災情報を登録する構成としたが、この構成に限らず、被災情報を登録サーバを別途設け、被災提示情報生成サーバ３０又は３０’は、その登録サーバから必要な被災情報を取得する構成としてもよい。
また、上記第１〜第３の実施の形態において、緊急速報配信サーバ１０を独立に設けたが、これに限らず、被災提示情報生成サーバ３０又は３０’に、緊急速報メールを同報配信する機能を持たせる構成としてもよい。
【０１５７】
また、上記第１〜第３の実施の形態において、被災情報の登録を催促する動作を携帯通信端末２０又は２０’側のみで行う構成としたが、これに限らず、例えば、緊急速報配信サーバ１０が、ネットワークの輻輳状態などを監視しながら適切なタイミングで、または乱数などを用いた特定のタイミングで、携帯通信端末２０又は２０’に被災情報の登録を催促する構成としてもよい。
【図面の簡単な説明】
【０１５８】
【図１】本発明に係る被災提示情報提供システム１の概略構成を示すブロック図である。
【図２】携帯通信端末２０の詳細な構成を示すブロック図である。
【図３】被災提示情報生成サーバ３０の詳細な構成を示すブロック図である。
【図４】携帯通信端末２０の被災情報の登録に係る動作処理を示すフローチャートである。
【図５】携帯通信端末２０の登録催促動作を示すフローチャートである。
【図６】被災提示情報生成サーバ３０の被災提示情報の生成に係る動作処理を示すフローチャートである。
【図７】（ａ）は、被災エリアへの緊急速報メールの同報配信の様子を示す図であり、（ｂ）は、被災エリアと災害未発生エリアとの間の携帯通信端末の移動の様子を示す図である。
【図８】被災情報の登録ページの一例を示す図である。
【図９】被災マップの一例を示す図である。
【図１０】被災提示情報生成サーバ３０’の構成を示すブロック図である。
【図１１】被災提示情報生成サーバ３０’の被災提示情報の生成に係る動作処理を示すフローチャートである。
【図１２】登録制御部３０ｋにおける登録適格性判定処理を示すフローチャートである。
【図１３】携帯通信端末２０’の詳細な構成を示すブロック図である。
【図１４】携帯通信端末２０’の被災情報の登録に係る動作処理を示すフローチャートである。
【符号の説明】
【０１５９】
１…被災提示情報提供システム、１０…緊急速報配信サーバ、２０_１〜２０_ｎ，２０’_１〜２０’_ｎ…携帯通信端末、３０…被災提示情報生成サーバ、４０_１〜４０_ｍ…基地局、５０…ネットワーク、１０ａ，３０ａ…データ送受信部、２０ｂ，３０ｂ…データ制御部、２０ｃ…緊急速報メール処理部、２０ｄ…受信履歴情報記憶部、２０ｅ，３０ｅ…被災情報登録部、２０ｆ…情報表示部、２０ｇ…登録催促動作実行部、２０ｈ…音声出力部、２０ｉ…被災情報登録制御部、３０ｃ…速報情報取得部、３０ｄ…速報情報記憶部、３０ｆ…被災情報記憶部、３０ｇ…被災情報選択部、３０ｈ…被災提示情報生成部、３０ｉ…被災提示情報出力部、３０ｊ…位置情報検出部、３０ｋ…登録制御部、３１…設定情報格納部、３２…重み付け係数格納部、３３…ユーザ設定格納部、３４…コンテンツ格納部
【図１】
0005221209.tif 000002
【図２】
0005221209.tif 000003
【図３】
0005221209.tif 000004
【図４】
0005221209.tif 000005
【図５】
0005221209.tif 000006
【図６】
0005221209.tif 000007
【図７】
0005221209.tif 000008
【図８】
0005221209.tif 000009
【図９】
0005221209.tif 000010
【図１０】
0005221209.tif 000011
【図１１】
0005221209.tif 000012
【図１２】
0005221209.tif 000013
【図１３】
0005221209.tif 000014
【図１４】
0005221209.tif 000015